(57)【要約】【課題】  温度勾配に伴いインピーダンスが変化した場合でも異常動作の検出精度を向上させること。【解決手段】  インバータ回路１１０の複数対の３次巻線１１３ｃ、１１４ｃ、１１５ｃ、１１６ｃは、当該３次巻線のうち隣り合う１対の３次巻線に発生する交流電圧を互いに相殺するように１対の３次巻線が直列に接続され、１対の３次巻線の直列接続体の一端がグランドに接続される。複数のダイオード１１８、１１９は、１対の３次巻線の直列接続体の一端に入力端子が接続されて、当該３次巻線の直列接続体に発生する電圧を検出して電圧検出値を生成する。異常検出器１２０は、ダイオード１１８、１１９に発生する電圧検出値と所定の閾値とを比較して異常であるか否かを判断して判断結果を生成する。【選択図】  図１
2008084808.tif 000002
【特許請求の範囲】
【請求項１】
直流電圧を交流電圧に変換して複数対の放電管に供給するインバータと、
前記インバータの出力端子に接続される複数のバランストランスと、
前記バランストランスに流れる電流値に基づいて異常を検出する異常検出装置と、を具備し、
前記バランストランスは、
前記インバータの出力端子と前記複数対の放電管の各々との間にそれぞれ接続される複数対の１次巻線と、前記１次巻線に対応して配置される複数の２次巻線であって隣り合う当該２次巻線と直列に接続されて２次巻線直列接続体のループを形成し当該２次巻線直列接続体のループの一部がグランドに接続される複数の２次巻線と、を有し、
前記異常検出装置は、
前記１次巻線に対応して配置される複数対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている複数対の３次巻線と、
前記１対の３次巻線の前記直列接続体の他端に入力端子が接続されて当該直列接続体に発生する電圧を検出して電圧検出値を生成する複数のダイオードと、
前記ダイオードの出力端子に発生する前記電圧検出値と所定の閾値とを比較して異常であるか否かを判断して判断結果を生成する異常検出器と、
を具備することを特徴とするインバータ回路。
【請求項２】
直流電圧を交流電圧に変換して２対の放電管に供給するインバータと、
前記インバータの出力端子に接続される４つのバランストランスと、
前記バランストランスに流れる電流値に基づいて異常を検出する異常検出装置と、を具備し、
前記バランストランスは、
前記インバータの出力端子と前記２対の放電管の各々との間にそれぞれ接続される２対の１次巻線と、
４つの２次巻線であって隣り合う当該２次巻線と直列に接続されて２次巻線直列接続体のループを形成し当該２次巻線直列接続体のループの一部がグランドに接続される４つの２次巻線と、を有し、
前記異常検出装置は、
２対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている２対の３次巻線と、
前記１対の３次巻線の前記直列接続体の他端に入力端子が接続されて当該直列接続体に発生する電圧を検出して電圧検出値を生成する２つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。
【請求項３】
直流電圧を交流電圧に変換して４対の放電管に供給するインバータと、
前記インバータの出力端子に接続される８つのバランストランスと、
前記バランストランスに流れる電流値に基づいて異常を検出する異常検出装置と、を具備し、
前記バランストランスは、
前記インバータの出力端子と前記４対の放電管の各々との間にそれぞれ接続される４対の１次巻線と、
８つの２次巻線であって隣り合う当該２次巻線と直列に接続されて２次巻線直列接続体のループを形成し当該２次巻線直列接続体のループの一部がグランドに接続される８つの２次巻線と、を有し、
前記異常検出装置は、                               
４対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている４対の３次巻線と、
前記１対の３次巻線の前記直列接続体の他端に入力端子が接続されて当該直列接続体に発生する電圧を検出して電圧検出値を生成する４つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項４】
直流電圧を交流電圧に変換して６対の放電管に供給するインバータと、
前記インバータの出力端子に接続される１２個のバランストランスと、
前記バランストランスに流れる電流値に基づいて異常を検出する異常検出装置と、を具備し、
前記バランストランスは、
前記インバータの出力端子と前記６対の放電管の各々との間にそれぞれ接続される６対の１次巻線と、
１２個の２次巻線であって隣り合う当該２次巻線と直列に接続されて２次巻線直列接続体のループを形成し当該２次巻線直列接続体のループの一部がグランドに接続される１２個の２次巻線と、を有し、
前記異常検出装置は、
６対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている６対の３次巻線と、
前記１対の３次巻線の前記直列接続体の他端に入力端子が接続されて当該直列接続体に発生する電圧を検出して電圧検出値を生成する６つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項５】
直流電圧を交流電圧に変換して８対の放電管に供給するインバータと、
前記インバータの出力端子に接続される１６個のバランストランスと、
前記バランストランスに流れる電流値に基づいて異常を検出する異常検出装置と、を具備し、
前記バランストランスは、
前記インバータの出力端子と前記８対の放電管の各々との間にそれぞれ接続される８対の１次巻線と、
１６個の２次巻線であって隣り合う当該２次巻線と直列に接続されて２次巻線直列接続体のループを形成し当該２次巻線直列接続体のループの一部がグランドに接続される１６個の２次巻線と、を有し、
前記異常検出装置は、
８対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている８対の３次巻線と、
前記１対の３次巻線の前記直列接続体の他端に入力端子が接続されて当該直列接続体に発生する電圧を検出して電圧検出値を生成する８つのダイオードと、
前記ダイオードの出力端子に発生する前記電圧検出値と所定の閾値とを比較して異常であるか否かを判断して判断結果を生成する異常検出器と、
を具備することを特徴とする請求項１記載のインバータ回路。  
【請求項６】
複数対の放電管と、
直流電圧を交流電圧に変換して前記複数対の放電管に供給するインバータと、
前記インバータの出力端子に接続される複数のバランストランスと、
前記複数対の放電管のうち隣り合う１対の放電管を束ねて前記複数のバランストランスの１次巻線を介して前記インバータにそれぞれ接続させる複数のコネクタと、
前記バランストランスに流れる電流値に基づいて異常を検出する異常検出装置と、を具備し、
前記バランストランスは、
前記インバータの出力端子と前記複数対の放電管の各々との間にそれぞれ接続される複数対の１次巻線と、
前記１次巻線に対応して配置される複数の２次巻線であって隣り合う当該２次巻線と直列に接続されて２次巻線直列接続体のループを形成し当該２次巻線直列接続体のループの一部がグランドに接続された複数の２次巻線と、を有し、
前記異常検出装置は、
前記１次巻線に対応して配置される複数対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている複数対の３次巻線と、
前記１対の３次巻線の前記直列接続体の一端に入力端子が接続されて当該直列接続体に発生する電圧を検出して電圧検出値を生成する複数のダイオードと、
前記ダイオードの出力端子に発生する前記電圧検出値と所定の閾値とを比較して異常であるか否かを判断して判断結果を生成する異常検出器と、
を具備することを特徴とするバックライト装置。
【請求項７】
２対の放電管と、
直流電圧を交流電圧に変換して前記２対の放電管に供給するインバータと、
前記インバータの出力端子に接続される４つのバランストランスと、
前記２対の放電管のうち隣り合う１対の放電管を束ねて前記４つのバランストランスの１次巻線を介して前記インバータにそれぞれ接続させる２つのコネクタと、
前記バランストランスに流れる電流値に基づいて異常を検出する異常検出装置と、を具備し、
前記バランストランスは、
前記インバータの出力端子と前記２対の放電管の各々との間にそれぞれ接続される２対の１次巻線と、
４つの２次巻線であって隣り合う当該２次巻線と直列に接続されて２次巻線直列接続体のループを形成し当該２次巻線直列接続体のループの一部がグランドに接続される４つの２次巻線と、を有し、
前記異常検出装置は、
２対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている２対の３次巻線と、
前記１対の３次巻線の前記直列接続体の他端に入力端子が接続されて当該直列接続体に発生する電圧を検出して電圧検出値を生成する２つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項８】
４対の放電管と、
直流電圧を交流電圧に変換して前記４対の放電管に供給するインバータと、
前記インバータの出力端子に接続される８つのバランストランスと、
前記４対の放電管のうち隣り合う１対の放電管を束ねて前記８つのバランストランスの１次巻線を介して前記インバータにそれぞれ接続させる４つのコネクタと、
前記バランストランスに流れる電流値に基づいて異常を検出する異常検出装置と、を具備し、
前記バランストランスは、
前記インバータの出力端子と前記４対の放電管の各々との間にそれぞれ接続される４対の１次巻線と、
８つの２次巻線であって隣り合う当該２次巻線と直列に接続されて２次巻線直列接続体のループを形成し当該２次巻線直列接続体のループの一部がグランドに接続される８つの２次巻線と、を有し、
前記異常検出装置は、                               
４対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている４対の３次巻線と、
前記１対の３次巻線の前記直列接続体の一端に入力端子が接続されて当該直列接続体に発生する電圧を検出して電圧検出値を生成する４つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項９】
６対の放電管と、
直流電圧を交流電圧に変換して前記６対の放電管に供給するインバータと、
前記インバータの出力端子に接続される１２個のバランストランスと、
前記６対の放電管のうち隣り合う１対の放電管を束ねて前記１２個のバランストランスの１次巻線を介して前記インバータにそれぞれ接続させる６つのコネクタと、
前記バランストランスに流れる電流値に基づいて異常を検出する異常検出装置と、を具備し、
前記バランストランスは、
前記インバータの出力端子と前記６対の放電管の各々との間にそれぞれ接続される６対の１次巻線と、
１２個の２次巻線であって隣り合う当該２次巻線と直列に接続されて２次巻線直列接続体のループを形成し当該２次巻線直列接続体のループの一部がグランドに接続される１２個の２次巻線と、を有し、
前記異常検出装置は、
６対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている６対の３次巻線と、
前記１対の３次巻線の前記直列接続体の他端に入力端子が接続されて当該直列接続体に発生する電圧を検出して電圧検出値を生成する６つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項１０】
８対の放電管と、
直流電圧を交流電圧に変換して前記８対の放電管に供給するインバータと、
前記インバータの出力端子に接続される１６個のバランストランスと、
前記８対の放電管のうち隣り合う１対の放電管を束ねて前記１６個のバランストランスの１次巻線を介して前記インバータにそれぞれ接続させる８つのコネクタと、
前記バランストランスに流れる電流値に基づいて異常を検出する異常検出装置と、を具備し、
前記バランストランスは、
前記インバータの出力端子と前記８対の放電管の各々との間にそれぞれ接続される８対の１次巻線と、
１６個の２次巻線であって隣り合う当該２次巻線と直列に接続されて２次巻線直列接続体のループを形成し当該２次巻線直列接続体のループの一部がグランドに接続される１６個の２次巻線と、を有し、
前記異常検出装置は、
８対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている８対の３次巻線と、
前記１対の３次巻線の前記直列接続体の他端に入力端子が接続されて当該直列接続体に発生する電圧を検出して電圧検出値を生成する８つのダイオードと、
前記ダイオードの出力端子に発生する前記電圧検出値と所定の閾値とを比較して異常であるか否かを判断して判断結果を生成する異常検出器と、
を具備することを特徴とする請求項６記載のバックライト装置。  
【請求項１１】
複数対の放電管と、
直流電圧を交流電圧に変換して前記複数対の放電管に供給するインバータと、
前記インバータの出力端子に接続される複数のバランストランスと、
前記複数対の放電管のうち隣り合う１対の放電管を束ねて前記複数のバランストランスの１次巻線を介して前記インバータにそれぞれ接続させる複数のコネクタと、
前記バランストランスに流れる電流値に基づいて異常を検出する異常検出装置と、を具備し、
前記バランストランスは、
前記インバータの出力端子と前記複数のコネクタの各々と間にそれぞれ接続する複数対の１次巻線と、
前記１次巻線に対応して配置される複数の２次巻線であって隣り合う当該２次巻線と直列に接続されて２次巻線直列接続体のループを形成し当該２次巻線直列接続体のループの一部がグランドに接続された複数の２次巻線と、を有し、
前記異常検出装置は、
前記１次巻線に対応して配置される複数対の３次巻線であって当該３次巻線のうち異なる前記コネクタに接続されている前記１次巻線により交流電圧を誘起される１対の３次巻線に発生する交流電圧を互いに相殺するように当該１対の３次巻線が直列に接続され当該１対の３次巻線の直列接続体の一端がグランドに接続されている複数対の３次巻線と、
前記１対の３次巻線の前記直列接続体の他端に入力端子が接続されて当該直列接続体に発生する電圧を検出して電圧検出値を生成する複数のダイオードと、
前記ダイオードの出力端子に発生する前記電圧検出値と所定の閾値とを比較して異常であるか否かを判断して判断結果を生成する異常検出器と、
を具備することを特徴とするバックライト装置。
【請求項１２】
２対の放電管と、
直流電圧を交流電圧に変換して前記２対の放電管に供給するインバータと、
前記インバータの出力端子に接続される４つのバランストランスと、
前記２対の放電管のうち隣り合う１対の放電管を束ねて前記４つのバランストランスの１次巻線を介して前記インバータにそれぞれ接続させる２つのコネクタと、
前記バランストランスに流れる電流値に基づいて異常を検出する異常検出装置と、を具備し、
前記バランストランスは、
前記インバータの出力端子と前記２つのコネクタの各々との間にそれぞれ接続される２対の１次巻線と、
４つの２次巻線であって隣り合う当該２次巻線と直列に接続されて２次巻線直列接続体のループを形成し当該２次巻線直列接続体のループの一部がグランドに接続された４つの２次巻線と、を有し、
前記異常検出装置は、
２対の３次巻線であって当該３次巻線のうち異なる前記コネクタに接続されている前記１次巻線により交流電圧を誘起される１対の３次巻線に発生する交流電圧を互いに相殺するように当該１対の３次巻線が直列に接続され当該１対の３次巻線の直列接続体の一端がグランドに接続されている２対の３次巻線と、
前記１対の３次巻線の前記直列接続体の他端に入力端子が接続されて当該直列接続体に発生する電圧を検出して電圧検出値を生成する２つのダイオードと、
前記ダイオードの出力端子に発生する前記電圧検出値と所定の閾値とを比較して異常であるか否かを判断して判断結果を生成する異常検出器と、
を具備することを特徴とする請求項１１記載のバックライト装置。
【請求項１３】
４対の放電管と、
直流電圧を交流電圧に変換して前記４対の放電管に供給するインバータと、
前記インバータの出力端子に接続される８つのバランストランスと、
前記４対の放電管のうち隣り合う１対の放電管を束ねて前記８つのバランストランスの１次巻線を介して前記インバータにそれぞれ接続させる４つのコネクタと、
前記バランストランスに流れる電流値に基づいて異常を検出する異常検出装置と、を具備し、
前記バランストランスは、
前記インバータの出力端子と前記４つのコネクタの各々との間にそれぞれ接続される４対の１次巻線と、
８つの２次巻線であって隣り合う当該２次巻線と直列に接続されて２次巻線直列接続体のループを形成し当該２次巻線直列接続体のループの一部がグランドに接続された８つの２次巻線と、を有し、
前記異常検出装置は、
４対の３次巻線であって当該３次巻線のうち異なる前記コネクタに接続されている前記１次巻線により交流電圧を誘起される１対の３次巻線に発生する交流電圧を互いに相殺するように当該１対の３次巻線が直列に接続され当該１対の３次巻線の直列接続体の一端がグランドに接続されている４対の３次巻線と、
前記１対の３次巻線の前記直列接続体の他端に入力端子が接続されて当該直列接続体に発生する電圧を検出して電圧検出値を生成する４つのダイオードと、
前記ダイオードの出力端子に発生する前記電圧検出値と所定の閾値とを比較して異常であるか否かを判断して判断結果を生成する異常検出器と、
を具備することを特徴とする請求項１１記載のバックライト装置。
【請求項１４】
６対の放電管と、
直流電圧を交流電圧に変換して前記６対の放電管に供給するインバータと、
前記インバータの出力端子に接続される１２個のバランストランスと、
前記６対の放電管のうち隣り合う１対の放電管を束ねて前記１２個のバランストランスの１次巻線を介して前記インバータにそれぞれ接続させる６つのコネクタと、
前記バランストランスに流れる電流値に基づいて異常を検出する異常検出装置と、を具備し、
前記バランストランスは、
前記インバータの出力端子と前記６つのコネクタの各々との間にそれぞれ接続される６対の１次巻線と、
１２個の２次巻線であって隣り合う当該２次巻線と直列に接続されて２次巻線直列接続体のループを形成し当該２次巻線直列接続体のループの一部がグランドに接続された１２個の２次巻線と、を有し、
前記異常検出装置は、
６対の３次巻線であって当該３次巻線のうち異なる前記コネクタに接続されている前記１次巻線により交流電圧を誘起される１対の３次巻線に発生する交流電圧を互いに相殺するように当該１対の３次巻線が直列に接続され当該１対の３次巻線の直列接続体の一端がグランドに接続されている６対の３次巻線と、
前記１対の３次巻線の前記直列接続体の他端に入力端子が接続されて当該直列接続体に発生する電圧を検出して電圧検出値を生成する６つのダイオードと、
前記ダイオードの出力端子に発生する前記電圧検出値と所定の閾値とを比較して異常であるか否かを判断して判断結果を生成する異常検出器と、
を具備することを特徴とする請求項１１記載のバックライト装置。
【請求項１５】
８対の放電管と、
直流電圧を交流電圧に変換して前記８対の放電管に供給するインバータと、
前記インバータの出力端子に接続される１６個のバランストランスと、
前記８対の放電管のうち隣り合う１対の放電管を束ねて前記１６個のバランストランスの１次巻線を介して前記インバータにそれぞれ接続させる８つのコネクタと、
前記バランストランスに流れる電流値に基づいて異常を検出する異常検出装置と、を具備し、
前記バランストランスは、
前記インバータの出力端子と前記８つのコネクタの各々との間にそれぞれ接続する８対の１次巻線と、
１６個の２次巻線であって隣り合う当該２次巻線と直列に接続されて２次巻線直列接続体のループを形成し当該２次巻線直列接続体のループの一部がグランドに接続された１６個の２次巻線と、を有し、
前記異常検出装置は、
８対の３次巻線であって当該３次巻線のうち異なる前記コネクタに接続されている前記１次巻線により交流電圧を誘起される１対の３次巻線に発生する交流電圧を互いに相殺するように当該１対の３次巻線が直列に接続され当該１対の３次巻線の直列接続体の一端がグランドに接続されている８対の３次巻線と、
前記１対の３次巻線の前記直列接続体の他端に入力端子が接続されて当該直列接続体に発生する電圧を検出して電圧検出値を生成する８つのダイオードと、
前記ダイオードの出力端子に発生する前記電圧検出値と所定の閾値とを比較して異常であるか否かを判断して判断結果を生成する異常検出器と、
を具備することを特徴とする請求項１１記載のバックライト装置。
【請求項１６】
複数対の放電管と、
直流電圧を交流電圧に変換して前記複数対の放電管に供給するインバータと、
第１及び第２の基板と、
前記第１及び第２の基板にそれぞれ実装され前記インバータからの電力を前記複数対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器と報知装置とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と前記複数対の放電管の各々との間にそれぞれ接続される複数対の第１のグループの１次巻線と、
前記第１のグループの１次巻線に対応して配置される複数の２次巻線であって隣り合う当該２次巻線と直列に接続されている第１のグループの２次巻線と、を具備し、
前記第２のグループのバランストランスは、
前記第２の電力供給線と前記複数対の放電管の各々との間にそれぞれ接続される複数対の第２のグループの１次巻線と、
前記第２のグループの１次巻線に対応して配置される複数の２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
前記第１のグループの１次巻線に対応して配置される複数対の第１のグループの３次巻線であって当該第１のグループの３次巻線のうち隣り合う１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する複数の第１のグループのダイオードと、を具備し、
前記第２の異常検出部は、
前記第２のグループの１次巻線に対応して配置される複数対の第２のグループの３次巻線であって当該第２のグループの３次巻線のうち隣り合う１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する複数の第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とするバックライト装置。
【請求項１７】
６対の放電管と、
直流電圧を交流電圧に変換して前記６対の放電管に供給するインバータと、
第１及び第２の基板と、
前記第１及び第２の基板にそれぞれ実装され前記インバータからの電力を前記６対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器と報知装置とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と３対の放電管の各々との間にそれぞれ接続される３対の第１のグループの１次巻線と、
６つの２次巻線であって隣り合う当該２次巻線と直列に接続されている第１のグループの２次巻線と、を具備し、
前記第２のグループのバランストランスは、
前記第２の電力供給線と３対の放電管の各々との間にそれぞれ接続される３対の第２のグループの１次巻線と、
６つの２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
３対の第１のグループの３次巻線であって当該第１のグループの３次巻線のうち隣り合う１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する３つの第１のグループのダイオードと、を具備し、
前記第２の異常検出部は、
３対の第２のグループの３次巻線であって当該第２のグループの３次巻線のうち隣り合う１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する３つの第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とする請求項１６記載のバックライト装置。
【請求項１８】
８対の放電管と、
直流電圧を交流電圧に変換して前記８対の放電管に供給するインバータと、
第１及び第２の基板と、
前記第１及び第２の基板にそれぞれ実装され前記インバータからの電力を前記８対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と４対の放電管の各々との間にそれぞれ接続される４対の第１のグループの１次巻線と、
８つの２次巻線であって隣り合う当該２次巻線と直列に接続されている第１のグループの２次巻線と、を具備し、
前記第２のグループのバランストランスは、
前記第２の電力供給線と４対の放電管の各々との間にそれぞれ接続される４対の第２のグループの１次巻線と、
８つの２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
４対の第１のグループの３次巻線であって当該第１のグループの３次巻線のうち隣り合う１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する４つの第１のグループのダイオードと、を具備し、
前記第２の異常検出部は、
４対の第２のグループの３次巻線であって当該第２のグループの３次巻線のうち隣り合う１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する４つの第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とする請求項１６記載のバックライト装置。
【請求項１９】
複数対の放電管と、
直流電圧を交流電圧に変換して前記複数対の放電管に供給するインバータと、
前記複数対の放電管のうち隣り合う１対の放電管を束ねて前記インバータにそれぞれ接続させるための複数のコネクタと、
第１及び第２の基板と、
前記第１及び第２の基板にそれぞれ実装され前記インバータからの電力を前記複数対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と前記複数対の放電管の各々との間にそれぞれ接続される複数対の第１のグループの１次巻線と、
複数の２次巻線であって隣り合う当該２次巻線と直列に接続されている第１のグループの２次巻線と、を具備し、
前記第２のグループのバランストランスは、
前記第２の電力供給線と前記複数対の放電管の各々との間にそれぞれ接続される複数対の第２のグループの１次巻線と、
複数の２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
複数対の第１のグループの３次巻線であって当該第１のグループの３次巻線のうち異なる前記コネクタにより交流電圧を誘起される１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する複数の第１のグループのダイオードと、を具備し、
前記第２の異常検出部は、
複数対の第２のグループの３次巻線であって当該第２のグループの３次巻線のうち異なる前記コネクタにより交流電圧を誘起される１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する複数の第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とするバックライト装置。
【請求項２０】
６対の放電管と、
直流電圧を交流電圧に変換して前記６対の放電管に供給するインバータと、
前記６対の放電管のうち隣り合う１対の放電管を束ねて前記インバータにそれぞれ接続させるための６つのコネクタと、
第１及び第２の基板と、
前記第１及び第２の基板にそれぞれ実装され前記インバータからの電力を前記６対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と６対の放電管の各々との間にそれぞれ接続される３対の第１のグループの１次巻線と、
６つの２次巻線であって隣り合う当該２次巻線と直列に接続されている第１のグループの２次巻線と、を具備し、
前記第２のグループのバランストランスは、
前記第２の電力供給線と３対の放電管の各々との間にそれぞれ接続される３対の第２のグループの１次巻線と、
６つの２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
３対の第１のグループの３次巻線であって当該第１のグループの３次巻線のうち異なる前記コネクタにより交流電圧を誘起される１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する３つの第１のグループのダイオードと、を具備し、
前記第２の異常検出部は、
３対の第２のグループの３次巻線であって当該第２のグループの３次巻線のうち異なる前記コネクタにより交流電圧を誘起される１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する３つの第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とする請求項１９記載のバックライト装置。
【請求項２１】
８対の放電管と、
直流電圧を交流電圧に変換して前記８対の放電管に供給するインバータと、
前記８対の放電管のうち隣り合う１対の放電管を束ねて前記インバータにそれぞれ接続させるための８つのコネクタと、
第１及び第２の基板と、
前記第１及び第２の基板にそれぞれ実装され前記インバータからの電力を前記８対の放電管に供給するための第１及び第２の電力供給線と、
前記第１及び第２の基板にそれぞれ実装される第１及び第２のグループのバランストランスと、
前記第１及び第２のグループのバランストランスに流れる電流値に基づいて異常を検出する第1及び第２の異常検出部と異常検出器とを有する異常検出装置と、
前記第1及び第２の電力供給線、前記第１及び第２グループのバランストランス並びに前記第１及び第２の異常検出部を電気的に接続する基板間接続コネクタと、
を具備し、
前記インバータの出力端子は前記第１の電力供給線に接続され、
前記第１のグループのバランストランスは、
前記第１の電力供給線と４対の放電管の各々との間にそれぞれ接続される４対の第１のグループの１次巻線と、
８つの２次巻線であって隣り合う当該２次巻線と直列に接続されている第１のグループの２次巻線と、を具備し、
前記第２のグループのバランストランスは、
前記第２の電力供給線と４対の放電管の各々との間にそれぞれ接続される４対の第２のグループの１次巻線と、
８つの２次巻線であって隣り合う当該２次巻線と直列に接続されている第２のグループの２次巻線と、を具備し、
前記第１のグループの２次巻線と前記第２のグループの２次巻線とは前記基板間接続コネクタにより接続されて２次巻線直列接続体のループを形成し当該２次巻線直列接続体のループの一部がグランドに接続され、
前記第１の異常検出部は、
４対の第１のグループの３次巻線であって当該第１のグループの３次巻線のうち異なる前記コネクタにより交流電圧を誘起される１対の３次巻線に発生する交流電圧を互いに相殺するように当該１対の３次巻線が直列に接続されている第１のグループの３次巻線と、
前記第１のグループの１対の３次巻線の直列接続体の一端に入力端子が接続されて当該直列接続体に発生する電圧を検出して電圧検出値を生成する４つの第１のグループのダイオードと、を具備し、
前記第２の異常検出部は、
４対の第２のグループの３次巻線であって当該第２のグループの３次巻線のうち異なる前記コネクタにより交流電圧を誘起される１対の３次巻線に発生する交流電圧を互いに相殺するように当該１対の３次巻線が直列に接続されている第２のグループの３次巻線と、
前記第２のグループの１対の３次巻線の直列接続体の一端に入力端子が接続されて当該直列接続体に発生する電圧を検出して電圧検出値を生成する４つの第２のグループのダイオードと、を具備し、
前記第１のグループの３次巻線と前記第２のグループの３次巻線とは前記基板間接続コネクタにより接続されて前記第１及び第２のグループにおける前記１対の３次巻線の直列接続体の一端がグランドに接続され、
前記異常検出器は、前記ダイオードの出力端子に発生する前記電圧検出値と所定の閾値とを比較して異常であるか否かを判断して判断結果を生成することを特徴とする請求項１９記載のバックライト装置。
【請求項２２】
直流電圧を交流電圧に変換してＮ対の放電管に供給するインバータと、
前記インバータの出力端子に接続される２Ｎ個のバランストランスと、
前記２Ｎ個のバランストランスに流れる電流値に基いて異常を検出する異常検出装置とを具備し、
前記２Ｎ個のバランストランスの各々は、
前記インバータの出力端子と前記Ｎ対の放電管の各々との間にそれぞれ接続されるＮ対の１次巻線と、
互いに直列に接続されてループを形成し、ループの一部がグランドに接続される２Ｎ個の２次巻線と具備し、
前記異常検出装置は、
隣り合う巻線対から発生する交流電圧を互いに相殺するように前記Ｎ対の１次巻線のうちから同一の１次巻線に対応しながら隣り合う３次巻線と直列に接続されて３次巻線対をなし、各３次巻線対の一端はグランドに接続されるＮ対の３次巻線と、
前記３次巻線対のうちから該当する３次巻線対の他端に入力端子が接続されて該当３次巻線対から発生する電圧を検出して電圧検出値を生成するＮ個のダイオードと、
前記Ｎ個のダイオードの出力端子から発生する前記電圧検出値とあらかじめ設定された閾値を比較し、その比較結果を発生する異常検出器とを含むことを特徴とするインバータ回路。
【請求項２３】
前記Ｎは２より大きい自然数であって、偶数であることを特徴とする請求項２２に記載のインバータ回路。
【請求項２４】
前記異常検出器から提供される前記比較結果を表示する報知装置をさらに含むことを特徴とする請求項２３に記載のインバータ回路。
【発明の詳細な説明】
【技術分野】
【０００１】
本発明は、液晶表示装置の光源に使用する複数の冷陰極管等の放電管を点灯させるインバータ回路及びこのインバータ回路を備えたバックライト装置に関するものである。
【０００２】
以下に記述した放電管は、主として冷陰極管を対象としたものであるが、本発明は、冷陰極管に限られず、交流高電圧を必要とする複数の放電管を点灯するシステムにおいて実施することが可能である。放電管は、冷陰極管に限定して解釈されるものではない。
【背景技術】
【０００３】
従来、液晶表示装置(ＬＣＤ)は軽量、薄型及び低消費電力駆動などの機能が求められてきた。液晶表示装置は自発光表示装置ではないから光源が必要になる。光源としては冷陰極管が使用されている。
【０００４】
冷陰極管は、蛍光ランプの一種であり正規グロー放電領域で動作する蛍光ランプである。冷陰極管は交流高電圧を印加することにより点灯する。冷陰極管はフィラメントによって予熱する方法に依らないため、熱陰極管と比較すると耐振動性が高く、ランプの径を細くすることが可能であり、ランプ寿命が長い。冷陰極管は、他方でフィラメントにより予熱をしないために印加電圧を高くする必要がある。
【０００５】
冷陰極管を点灯させるための交流高電圧を発生させる回路としてはインバータ回路が用いられる。
【０００６】
図１８に示すように、複数の冷陰極管を点灯させるための従来のインバータ回路として、第１及び第２のインバータ１１、１２、複数のバランストランス１３及び複数のダイオード１４を具備しているものがある。
【０００７】
第１及び第２のインバータ１１、１２の出力端子に、バランストランス１３の１次巻線１３ａは接続されている。そして、第１及び第２のインバータ１１、１２は、グランドＧＮＤからの直流電圧を交流電圧に変換して、バランストランス１３の１次巻線１３ａを介して、２対の冷陰極管２０に交流電圧を供給する。
【０００８】
バランストランス１３の２次巻線１３ｂは、隣接するバランストランス１３の２次巻線１３ｂと直列に接続されてループを形成し、この２次巻線直列接続体のループの一端はグランドＧＮＤと接続されている。
【０００９】
バランストランス１３の３次巻線１３ｃは、一端が２次巻線直列接続体のループを介してグランドＧＮＤと接続され、他端がダイオード１４の入力端子に接続されている。
【００１０】
ダイオード１４は、３次巻線１３ｃの一端に入力端子が接続されて、この３次巻線１３ｃに発生する電圧を検出して電圧検出値を生成する。
【００１１】
また、インバータ回路を有する装置の異常検出回路として、特許文献１記載のものが開示されている。この異常検出回路は、第一および第二の放電管を点灯制御する放電管点灯制御回路における異常検出回路であって、第一および第二の放電管の電流バランスを検出する電流バランス検出手段と、当該電流バランスがくずれた場合に異常信号を生成する異常信号生成手段と、を有している。
【特許文献１】特開２００５−２６７９２３号公報
【発明の開示】
【発明が解決しようとする課題】
【００１２】
ところで、図１９に示すように、複数の冷陰極管は、拡散板と反射板との間に配設されている。この冷陰極管が発光した場合、当該冷陰極管の配列方向が上方にいくにつれ、バックライト装置内部の温度は対流により高くなり、インピーダンスは低くなる。すなわち、図２０に示すように、冷陰極管の発熱により、バックライト装置内部には温度（熱）勾配に伴うインピーダンス勾配が発生する。
【００１３】
しかしながら、従来のインバータ回路では、温度勾配に伴うインピーダンスの変化があった場合でも、各３次巻線での発生電圧を各３次巻線に接続されるダイオード毎にそれぞれ検出する回路構成になっているため、正常動作と異常動作とを判別するための閾値設定は、この温度勾配に伴うインピーダンス変化による発生電圧値を考慮する必要があった。その結果、従来のインバータ回路では、温度勾配に伴うインピーダンス変化による上昇電圧値を考慮して閾値を高く設定する必要があったため、例えば、開放故障時のアーク放電により発生するこの設定閾値に満たない軽微な電圧上昇を検出することができないという問題がある。
【００１４】
本発明の目的は、温度勾配に伴うインピーダンス変化により発生電圧が上昇した場合でも、異常動作の検出精度を向上することができるインバータ回路及びこれを備えたバックライト装置を提供することにある。
【課題を解決するための手段】
【００１５】
本発明は、直流電圧を交流電圧に変換して複数対の放電管に供給するインバータと、前記インバータの出力端子に接続される複数のバランストランスと、前記バランストランスに流れる電流値に基づいて異常を検出する異常検出装置と、を具備し、前記バランストランスは、前記インバータの出力端子と前記複数対の放電管の各々との間にそれぞれ接続される複数対の１次巻線と、前記１次巻線に対応して配置される複数の２次巻線であって隣り合う当該２次巻線と直列に接続されて２次巻線直列接続体のループを形成し当該２次巻線直列接続体のループの一部がグランドに接続される複数の２次巻線と、を有し、前記異常検出装置は、前記1次巻線に対応して配置される複数対の３次巻線であって当該３次巻線のうち隣り合う１対の３次巻線に発生する交流電圧を互いに相殺するように当該１対の３次巻線が直列に接続され当該１対の３次巻線の直列接続体の一端がグランドに接続されている複数対の３次巻線と、前記１対の３次巻線の前記直列接続体の他端に入力端子が接続されて当該直列接続体に発生する電圧を検出して電圧検出値を生成する複数のダイオードと、前記ダイオードの出力端子に発生する前記電圧検出値と所定の閾値とを比較して異常であるか否かを判断して判断結果を生成する異常検出器と、を具備する構成を採る。
【発明の効果】
【００１６】
本発明によれば、温度勾配に伴うインピーダンス変化により発生電圧が上昇した場合でも、異常動作の検出精度を向上することができる
【発明を実施するための最良の形態】
【００１７】
以下、図面を参照して本発明の望ましい実施の形態を詳細に説明する。但し、本発明は、多くの異なる態様で実施することが可能であり、以下に示す実施の形態に限定して解釈されるものではない。
【００１８】
（実施の形態１）
図１は、本発明の実施の形態１に係るインバータ回路及びバックライト装置を示す回路図である。
【００１９】
図１に示すように、本発明の実施の形態１に係るバックライト装置１００は、インバータ回路１１０及び２対の冷陰極管（放電管）１３０を具備している。
【００２０】
インバータ回路１１０は、２つのインバータ１１１及び１１２と、４つのバランストランス１１３、１１４、１１５及び１１６と、異常検出装置１１７と、を具備している。
【００２１】
インバータ１１１は、直流電圧を交流電圧に変換して、交流電圧（以下、後述する交流電圧と区別するために正極性の交流電圧と称する）をバランストランス１１３及１１５の１次巻線１１３ａ及び１１５ａを介して、２対の冷陰極管１３０にそれぞれ与える。インバータ１１２は、直流電圧を交流電圧に変換して、正極性の交流電圧と振幅が等しく位相が１８０度異なる交流電圧（以下、負極性の交流電圧と称する）をバランストランス１１４及び１１６の１次巻線１１４ａ及び１１６ａを介して、２対の冷陰極管１３０にそれぞれ与える。
【００２２】
バランストランス１１３は、インバータ１１１の出力端子と冷陰極管１３０との間に接続される１次巻線１１３ａを有している。また、バランストランス１１４は、インバータ１１２の出力端子と冷陰極管１３０との間に接続される１次巻線１１４ａを有している。また、バランストランス１１５は、インバータ１１１の出力端子と冷陰極管１３０との間に接続される１次巻線１１５ａを有している。また、バランストランス１１６は、インバータ１１２の出力端子と冷陰極管１３０との間に接続される１次巻線１１６ａを有している。
【００２３】
そして、２次巻線１１３ｂ及び１１４ｂと、３次巻線１１３ｃ及び１１４ｃとには、１次巻線１１３ａ及び１１４ａに与えられる交流電圧により交流電圧が誘起される。また、２次巻線１１５ｂ及び１１６ｂと、３次巻線１１５ｃ及び１１６ｃとには、１次巻線１１５ａ及び１１６ａに与えられる交流電圧により交流電圧が誘起される。
【００２４】
２対の冷陰極管１３０の他端部は、グランドＧＮＤに接続されている。冷陰極管１３０は高電圧で駆動されるところから、冷陰極管１３０から輻射される静電ノイズが大きい。この静電ノイズは液晶表示装置に影響を与えることから、冷陰極管１３０を１８０度位相の異なる出力で駆動し、冷陰極管１３０から輻射される静電ノイズを相殺することが望ましい。この図１に示した実施の形態１においては、隣り合う冷陰極管１３０は１８０度位相が異なる電圧、つまり、正極性及び負極性を持つ交流高電圧によって駆動されることにより、冷陰極管１３０から輻射される静電ノイズが相互に相殺され、液晶表示装置への影響が少なくなる。
【００２５】
４つのバランストランス１１３、１１４、１１５及び１１６の２次巻線１１３ｂ、１１４ｂ、１１５ｂ及び１１６ｂは、隣接する２次巻線同士が直列に接続されてループを形成し、この２次巻線直列接続体のループの一部は、グランドＧＮＤ（接地）に接続されている。これらのバランストランス１１３、１１４、１１５及び１１６の２次巻線１１３ｂ、１１４ｂ、１１５ｂ及び１１６ｂは、１次巻線１１３ａ、１１４ａ、１１５ａ及び１１６ａにより誘起される交流電圧を電圧検出値として生成し異常検出器１２０に与える。
【００２６】
異常検出装置１１７は、インバータ回路１１０における高電圧部とグランドＧＮＤとの間の絶縁物に絶縁不良がある場合に生じるコロナ放電及びアーク放電等の高電圧異常放電を検出するものである。この異常検出装置１１７は、複数のバランストランス１１３、１１４、１１５及び１１６に発生する電圧から生成する電圧検出値に基づいて異常を検出する。
【００２７】
異常検出装置１１７は、４つのバランストランス１１３、１１４、１１５及び１１６に追加された２対の３次巻線１１３ｃ、１１４ｃ、１１５ｃ及び１１６ｃと、２つダイオード１１８及び１１９と、異常検出器１２０と、報知装置１２１と、を具備している。
【００２８】
２対の３次巻線１１３ｃ、１１４ｃ、１１５ｃ及び１１６ｃは、当該２対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【００２９】
すなわち、隣り合う１対の３次巻線１１３ｃ及び１１４ｃは、当該１対の３次巻線１１３ｃ及び１１４ｃに発生する交流電圧を互いに相殺するように当該１対の３次巻線１１３ｃ及び１１４ｃが直列に接続されている。そして、当該１対の３次巻線１１３ｃ及び１１４ｃの直列接続体の一端が２次巻線１１３ｂ、１１４ｂ、１１５ｂ及び１１６ｂの直列接続体のループを介して接地されている。
【００３０】
また、隣り合う１対の３次巻線１１５ｃ及び１１６ｃは、当該１対の３次巻線１１５ｃ及び１１６ｃに発生する交流電圧を互いに相殺するように当該１対の３次巻線１１５ｃ及び１１６ｃが直列に接続されている。そして、当該１対の３次巻線１１５ｃ及び１１６ｃの直列接続体の一端が２次巻線１１３ｂ、１１４ｂ、１１５ｂ及び１１６ｂの直列接続体のループを介して接地されている。
【００３１】
ダイオード１１８及び１１９は、１対の３次巻線の直列接続体の一端に入力端子が接続されて、当該１対の３次巻線の直列接続体に発生する脈流電圧を検出して電圧検出値を生成する。
【００３２】
すなわち、ダイオード１１８は、隣り合う１対の３次巻線１１３ｃ及び１１４ｃの直列接続体の一端に入力端子が接続されて、当該１対の３次巻線１１３ｃ及び１１４ｃの直列接続体に発生する脈流電圧を検出して電圧検出値を生成する。
【００３３】
また、ダイオード１１９は、隣り合う１対の３次巻線１１５ｃ及び１１６ｃの直列接続体の一端に入力端子が接続されて、当該１対の３次巻線１１５ｃ及び１１６ｃの直列接続体に発生する脈流電圧を検出して電圧検出値を生成する。
【００３４】
異常検出器１２０は、ダイオード１１８及び１１９の出力端子に接続され、当該ダイオード１１８及び１１９に発生する電圧から生成する電圧検出値と所定の閾値とを比較して異常であるか否かを判断して判断結果を生成する。
【００３５】
報知装置１２１は、例えば、比較結果が異常であるか否かを表示装置（図示せず）に表示するように構成される。
【００３６】
次に、異常検出器１２０の１つの具体例について、図２を参照して説明する。図２は、異常検出器１２０の１つの具体例を示すブロック図である。
【００３７】
図２に示すように、異常検出器１２０は、脈流直流電圧変換回路１２０１、基準電圧発生回路１２０２及び比較回路１２０３を具備している。
【００３８】
脈流直流電圧変換回路１２０１の入力端子は、ダイオード１１８及び１１９の出力端子に接続されている。脈流直流電圧変換回路１２０１の出力端子は、比較回路１２０３の１つの入力端子に接続されている。基準電圧発生回路１２０２の出力端子は、比較回路１２０３の他の入力端子に接続されている。比較回路１２０３の出力端子は、報知装置１２１の入力端子に接続されている。
【００３９】
脈流直流電圧変換回路１２０１は、ダイオード１１８及び１１９で検出された脈流電圧値を、例えば、平滑やピークホールドにより直流電圧に変換して電圧検出値を生成して比較回路１２０３に与える。基準電圧発生回路１２０２は、基準電圧を発生して比較回路１２０３に与える。比較回路１２０３は、脈流直流電圧変換回路１２０１からの電圧検出値と基準電圧発生回路１２０２からの基準電圧とを比較して比較結果を生成して報知装置１２１に与える。報知装置１２１は、比較回路１２０３からの比較結果を報知する。
【００４０】
このように、本発明の実施の形態１によれば、複数対の３次巻線のうち隣り合う１対の３次巻線に発生する交流電圧を互いに相殺するように１対の３次巻線が直列に接続され、この直列接続体の一端が複数のダイオードの入力端子に接続されている。そして、異常検出器１２０は、複数のダイオードに発生する電圧から生成する電圧検出値と所定の閾値とを比較して異常であるか否かを判断して判断結果を生成し、報知装置１２１に与える。これにより、本発明の実施の形態１は、バックライト装置１００の内部において温度勾配に伴うインピーダンス変化により発生電圧が上昇した場合でも、異常動作を検出するための適切な閾値の設定を容易にし、かつ、異常動作の検出精度を向上させることができる。
【００４１】
すなわち、本発明の実施の形態１によれば、複数の冷陰極管１３０において温度勾配に伴うインピーダンス変化がある場合、１対の３次巻線の各々では、インピーダンスの大きさが異なることにより互いに発生する電圧が異なるが、複数対の３次巻線のうち隣り合う１対の３次巻線に発生する交流電圧を互いに相殺するため、対になる３次巻線間での差分電圧に基づいて閾値の設定を行うことにより、従来と比較して、異常動作検出のための適切な低い閾値の設定が可能になる。このように、本発明の実施の形態１は、適切な閾値を設定することができるため、従来では設定閾値未満で検出されない開放故障によるアーク放電等の軽微な電圧上昇を検出することが可能になるから、バックライト装置の異常動作の検出精度を向上させることができる。
【００４２】
また、本発明の実施の形態１によれば、隣り合う１対の３次巻線の直列接続体に対して１つのダイオードを設けることにより、従来のように全ての３次巻線に必要だったダイオードの数を半減させることができるため、回路構成を簡易化し、かつ、コストを削減することができる。
【００４３】
（実施の形態２）
次に、本発明の実施の形態２について、図面を参照して詳細に説明する。図３は、本発明の実施の形態２に係るインバータ回路及びバックライト装置を示す回路図である。本発明の実施の形態２においては、本発明の実施の形態１と同じ構成要素には同じ参照符号を付してその説明を省略する。
【００４４】
図３に示すように、本発明の実施の形態２に係るバックライト装置２００は、インバータ回路２１０及び４対の冷陰極管（放電管）１３０を具備している。
【００４５】
インバータ回路２１０は、２つのインバータ１１１及び１１２と、８つのバランストランス１１３、１１４、１１５、１１６、２１１、２１２、２１３及び２１４と、異常検出装置２１５と、を具備している。すなわち、本実施の形態２に係るインバータ回路２１０は、上記実施の形態１に係るインバータ回路１１０に、バランストランス２１１、２１２、２１３及び２１４が追加され、異常検出装置１１７に替えて異常検出装置２１５を有する。
【００４６】
インバータ１１１は、直流電圧を交流電圧に変換して、正極性の交流電圧をバランストランス１１３、１１５、２１１及び２１３の１次巻線１１３ａ、１１５ａ、２１１ａ及び２１３ａを介して、４対の冷陰極管１３０にそれぞれ与える。インバータ１１２は、直流電圧を交流電圧に変換して、正極性の交流電圧と振幅が等しく位相が１８０度異なる負極性の交流電圧をバランストランス１１４、１１６、２１２及び２１４の１次巻線１１４ａ、１１６ａ、２１２ａ及び２１４ａを介して、４対の冷陰極管１３０にそれぞれ与える。
【００４７】
バランストランス２１１は、インバータ１１１に対しバランストランス１１３及び１１５と並列に接続され、インバータ１１１の出力端子と冷陰極管１３０との間に接続される１次巻線２１１ａを有している。また、バランストランス２１２は、インバータ１１２に対しバランストランス１１４及び１１６と並列に接続され、インバータ１１２の出力端子と冷陰極管１３０との間に接続される１次巻線２１２ａを有している。また、バランストランス２１３は、インバータに対しバランストランス１１３及び１１５と並列に接続され、インバータ１１１の出力端子と冷陰極管１３０との間に接続される１次巻線２１３ａを有している。また、バランストランス２１４は、インバータ１１２に対しバランストランス１１４及び１１６と並列に接続され、インバータ１１２の出力端子と冷陰極管１３０との間に接続される１次巻線２１４ａを有している。
【００４８】
そして、２次巻線２１１ｂ及び２１２ｂと、３次巻線２１１ｃ及び２１２ｃとには、１次巻線２１１ａ及び２１２ａに与えられる交流電圧により交流電圧が誘起される。また、２次巻線２１３ｂ及び２１４ｂと、３次巻線２１３ｃ及び２１４ｃとには、１次巻線２１３ａ及び２１４ａに与えられる交流電圧により交流電圧が誘起される。
【００４９】
４つのバランストランス２１１、２１２、２１３及び２１４の２次巻線２１１ｂ、２１２ｂ、２１３ｂ及び２１４ｂは、隣接する２次巻線同士が直列に接続されてループを形成し、この２次巻線直列接続体のループの一部は、グランドＧＮＤに接続されている。これらのバランストランス２１１、２１２、２１３及び２１４の２次巻線２１１ｂ、２１２ｂ、２１３ｂ及び２１４ｂは、１次巻線２１１ａ、２１２ａ、２１３ａ及び２１４ａにより誘起される交流電圧を電圧検出値として生成し異常検出器１２０に与える。
【００５０】
異常検出装置２１５は、インバータ回路２１０における高電圧部とグランドＧＮＤとの間の絶縁物に絶縁不良がある場合に生じるコロナ放電及びアーク放電等の高電圧異常放電を検出するものである。この異常検出装置２１５は、８つのバランストランス１１３、１１４、１１５、１１６、２１１、２１２、２１３及び２１４に発生する電圧から生成する電圧検出値に基づいて異常を検出する。
【００５１】
異常検出装置２１５は、８つのバランストランス１１３、１１４、１１５、１１６、２１１、２１２、２１３及び２１４に追加された４対の３次巻線１１３ｃ、１１４ｃ、１１５ｃ、１１６ｃ、２１１ｃ、２１２ｃ、２１３ｃ及び２１４ｃ、４つダイオード１１８、１１９、２１６及び２１７と、異常検出器１２０と、報知装置１２１と、を具備している。すなわち、本実施の形態２に係る異常検出装置２１５は、上記実施の形態１に係る異常検出装置１１７に、２対の３次巻線２１１ｃ、２１２ｃ、２１３ｃ及び２１４ｃと、２つのダイオード２１６及び２１７と、が追加されてなる。
【００５２】
２対の３次巻線２１１ｃ、２１２ｃ、２１３ｃ及び２１４ｃは、当該２対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【００５３】
すなわち、隣り合う１対の３次巻線２１１ｃ及び２１２ｃは、当該１対の３次巻線２１１ｃ及び２１２ｃに発生する交流電圧を互いに相殺するように当該１対の３次巻線２１１ｃ及び２１２ｃが直列に接続されている。そして、当該１対の３次巻線２１１ｃ及び２１２ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【００５４】
また、隣り合う１対の３次巻線２１３ｃ及び２１４ｃは、当該１対の３次巻線２１３ｃ及び２１４ｃに発生する交流電圧を互いに相殺するように当該１対の３次巻線２１３ｃ及び２１４ｃが直列に接続されている。そして、当該１対の３次巻線２１３ｃ及び２１４ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【００５５】
ダイオード２１６及び２１７は、１対の３次巻線の直列接続体の一端に入力端子が接続されて、当該１対の３次巻線の直列接続体に発生する脈流電圧を検出して電圧検出値を生成する。生成された電圧検出値は、異常検出器１２０の脈流直流電圧変換回路１２０１に出力される。
【００５６】
すなわち、ダイオード２１６は、隣り合う１対の３次巻線２１１ｃ及び２１２ｃの直列接続体の一端に入力端子が接続されて、当該１対の３次巻線２１１ｃ及び２１２ｃの直列接続体に発生する脈流電圧を検出して電圧検出値を生成する。
【００５７】
また、ダイオード２１７は、隣り合う１対の３次巻線２１３ｃ及び２１４ｃの直列接続体の一端に入力端子が接続されて、当該１対の３次巻線２１３ｃ及び２１４ｃの直列接続体に発生する脈流電圧を検出して電圧検出値を生成する。
【００５８】
（実施の形態３）
次に、本発明の実施の形態３について、図面を参照して詳細に説明する。図４は、本発明の実施の形態３に係るインバータ回路及びバックライト装置を示す回路図である。本発明の実施の形態３においては、本発明の実施の形態２と同じ構成要素には同じ参照符号を付してその説明を省略する。
【００５９】
図４に示すように、本発明の実施の形態３に係るバックライト装置３００は、インバータ回路３１０及び６対の冷陰極管（放電管）１３０を具備している。
【００６０】
インバータ回路３１０は、２つのインバータ１１１及び１１２と、１２個のバランストランス１１３、１１４、１１５、１１６、２１１、２１２、２１３、２１４、３１１、３１２、３１３及び３１４と、異常検出装置３１５と、を具備している。すなわち、本実施の形態３に係るインバータ回路３１０は、上記実施の形態２に係るインバータ回路２１０に、バランストランス３１１、３１２、３１３及び３１４が追加され、異常検出装置２１５に替えて異常検出装置３１５を有する。
【００６１】
インバータ１１１は、直流電圧を交流電圧に変換して、正極性の交流電圧をバランストランス１１３、１１５、２１１、２１３、３１１及び３１３の１次巻線１１３ａ、１１５ａ、２１１ａ、２１３ａ、３１１ａ及び３１３ａを介して、６対の冷陰極管１３０にそれぞれ与える。インバータ１１２は、直流電圧を交流電圧に変換して、正極性の交流電圧と振幅が等しく位相が１８０度異なる負極性の交流電圧をバランストランス１１４、１１６、２１２、２１４、３１２及び３１４の１次巻線１１４ａ、１１６ａ、２１２ａ、２１４ａ、３１２ａ及び３１４ａを介して、６対の冷陰極管１３０にそれぞれ与える。
【００６２】
バランストランス３１１は、インバータ１１１に対しバランストランス１１３、１１５、２１１及び２１３と並列に接続され、インバータ１１１の出力端子と冷陰極管１３０との間に接続される１次巻線３１１ａを有している。また、バランストランス３１２は、インバータ１１２に対しバランストランス１１４、１１６、２１２及び２１４と並列に接続され、インバータ１１２の出力端子と冷陰極管１３０との間に接続される１次巻線３１２ａを有している。また、バランストランス３１３は、インバータに対しバランストランス１１３、１１５、２１１及び２１３と並列に接続され、インバータ１１１の出力端子と冷陰極管１３０との間に接続される１次巻線３１３ａを有している。また、バランストランス３１４は、インバータ１１２に対しバランストランス１１４、１１６、２１２及び２１４と並列に接続され、インバータ１１２の出力端子と冷陰極管１３０との間に接続される１次巻線３１４ａを有している。
【００６３】
そして、２次巻線３１１ｂ及び３１２ｂと、３次巻線３１１ｃ及び３１２ｃとには、１次巻線３１１ａ及び３１２ａに与えられる交流電圧により交流電圧が誘起される。また、２次巻線３１３ｂ及び３１４ｂと、３次巻線３１３ｃ及び３１４ｃとには、１次巻線３１３ａ及び３１４ａに与えられる交流電圧により交流電圧が誘起される。
【００６４】
４つのバランストランス３１１、３１２、３１３及び３１４の２次巻線３１１ｂ、３１２ｂ、３１３ｂ及び３１４ｂは、隣接する２次巻線同士が直列に接続されてループを形成し、この２次巻線直列接続体のループの一部は、グランドＧＮＤに接続されている。これらのバランストランス３１１、３１２、３１３及び３１４の２次巻線３１１ｂ、３１２ｂ、３１３ｂ及び３１４ｂは、１次巻線３１１ａ、３１２ａ、３１３ａ及び３１４ａにより誘起される交流電圧を電圧検出値として生成し異常検出器１２０に与える。
【００６５】
異常検出装置３１５は、インバータ回路３１０における高電圧部とグランドＧＮＤとの間の絶縁物に絶縁不良がある場合に生じるコロナ放電及びアーク放電等の高電圧異常放電を検出するものである。この異常検出装置３１５は、１２個のバランストランス１１３、１１４、１１５、１１６、２１１、２１２、２１３、２１４、３１１、３１２、３１３及び３１４に発生する電圧から生成する電圧検出値に基づいて異常を検出する。
【００６６】
異常検出装置３１５は、１２個のバランストランス１１３、１１４、１１５、１１６、２１１、２１２、２１３、２１４、３１１、３１２、３１３及び３１４に追加された６対の３次巻線１１３ｃ、１１４ｃ、１１５ｃ、１１６ｃ、２１１ｃ、２１２ｃ、２１３ｃ、２１４ｃ、３１１ｃ、３１２ｃ、３１３ｃ及び３１４ｃと、６つダイオード１１８、１１９、２１６、２１７、３１６及び３１７と、異常検出器１２０と、報知装置１２１と、を具備している。すなわち、本実施の形態３に係る異常検出装置３１５は、上記実施の形態２に係る異常検出装置２１５に、２対の３次巻線３１１ｃ、３１２ｃ、３１３ｃ及び３１４ｃと、２つのダイオード３１６及び３１７と、が追加されてなる。
【００６７】
２対の３次巻線３１１ｃ、３１２ｃ、３１３ｃ及び３１４ｃは、当該２対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【００６８】
すなわち、隣り合う１対の３次巻線３１１ｃ及び３１２ｃは、当該１対の３次巻線３１１ｃ及び３１２ｃに発生する交流電圧を互いに相殺するように当該１対の３次巻線３１１ｃ及び３１２ｃが直列に接続されている。そして、当該１対の３次巻線３１１ｃ及び３１２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【００６９】
また、隣り合う１対の３次巻線３１３ｃ及び３１４ｃは、当該１対の３次巻線３１３ｃ及び３１４ｃに発生する交流電圧を互いに相殺するように当該１対の３次巻線３１３ｃ及び３１４ｃが直列に接続されている。そして、当該１対の３次巻線３１３ｃ及び３１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【００７０】
ダイオード３１６及び３１７は、１対の３次巻線の直列接続体の一端に入力端子が接続されて、当該１対の３次巻線の直列接続体に発生する脈流電圧を検出して電圧検出値を生成する。生成された電圧検出値は、異常検出器１２０の脈流直流電圧変換回路１２０１に出力される。
【００７１】
すなわち、ダイオード３１６は、隣り合う１対の３次巻線３１１ｃ及び３１２ｃの直列接続体の一端に入力端子が接続されて、当該１対の３次巻線３１１ｃ及び３１２ｃの直列接続体に発生する脈流電圧を検出して電圧検出値を生成する。
【００７２】
また、ダイオード３１７は、隣り合う１対の３次巻線３１３ｃ及び３１４ｃの直列接続体の一端に入力端子が接続されて、当該１対の３次巻線３１３ｃ及び３１４ｃの直列接続体に発生する脈流電圧を検出して電圧検出値を生成する。
【００７３】
（実施の形態４）
次に、本発明の実施の形態４について、図面を参照して詳細に説明する。図５は、本発明の実施の形態４に係るインバータ回路及びバックライト装置を示す回路図である。本発明の実施の形態４においては、本発明の実施の形態３と同じ構成要素には同じ参照符号を付してその説明を省略する。
【００７４】
図５に示すように、本発明の実施の形態４に係るバックライト装置４００は、インバータ回路４１０及び８対の冷陰極管（放電管）１３０を具備している。
【００７５】
インバータ回路４１０は、２つのインバータ１１１及び１１２と、１６個のバランストランス１１３、１１４、１１５、１１６、２１１、２１２、２１３、２１４、３１１、３１２、３１３、３１４、４１１、４１２、４１３及び４１４と、異常検出装置４１５と、を具備している。すなわち、本実施の形態４に係るインバータ回路４１０は、上記実施の形態３に係るインバータ回路３１０に、バランストランス４１１、４１２、４１３及び４１４が追加され、異常検出装置３１５に替えて異常検出装置４１５を有する。
【００７６】
インバータ１１１は、直流電圧を交流電圧に変換して、正極性の交流電圧をバランストランス１１３、１１５、２１１、２１３、３１１、３１３、４１１及び４１３の１次巻線１１３ａ、１１５ａ、２１１ａ、２１３ａ、３１１ａ、３１３ａ、４１１ａ及び４１３ａを介して、８対の冷陰極管１３０にそれぞれ与える。インバータ１１２は、直流電圧を交流電圧に変換して、正極性の交流電圧と振幅が等しく位相が１８０度異なる負極性の交流電圧をバランストランス１１４、１１６、２１２、２１４、３１２、３１４、４１２及び４１４の１次巻線１１４ａ、１１６ａ、２１２ａ、２１４ａ、３１２ａ、３１４ａ、４１２ａ及び４１４ａを介して、８対の冷陰極管１３０にそれぞれ与える。
【００７７】
バランストランス４１１は、インバータ１１１に対しバランストランス１１３、１１５、２１１、２１３、３１１及び３１３と並列に接続され、インバータ１１１の出力端子と冷陰極管１３０との間に接続される１次巻線４１１ａを有している。また、バランストランス４１２は、インバータ１１２に対しバランストランス１１４、１１６、２１２、２１４、３１２及び３１４と並列に接続され、インバータ１１２の出力端子と冷陰極管１３０との間に接続される１次巻線４１２ａを有している。また、バランストランス４１３は、インバータに対しバランストランス１１３、１１５、２１１、２１３、３１１及び３１３と並列に接続され、インバータ１１１の出力端子と冷陰極管１３０との間に接続される１次巻線４１３ａを有している。また、バランストランス４１４は、インバータ１１２に対しバランストランス１１４、１１６、２１２、２１４、３１２及び３１４と並列に接続され、インバータ１１２の出力端子と冷陰極管１３０との間に接続される１次巻線４１４ａを有している。
【００７８】
そして、２次巻線４１１ｂ及び４１２ｂと、３次巻線４１１ｃ及び４１２ｃとには、１次巻線４１１ａ及び４１２ａに与えられる交流電圧により交流電圧が誘起される。また、２次巻線４１３ｂ及び４１４ｂと、３次巻線４１３ｃ及び４１４ｃとには、１次巻線４１３ａ及び４１４ａに与えられる交流電圧により交流電圧が誘起される。
【００７９】
４つのバランストランス４１１、４１２、４１３及び４１４の２次巻線４１１ｂ、４１２ｂ、４１３ｂ及び４１４ｂは、隣接する２次巻線同士が直列に接続されてループを形成し、この２次巻線直列接続体のループの一部は、グランドＧＮＤに接続されている。これらのバランストランス４１１、４１２、４１３及び４１４の２次巻線４１１ｂ、４１２ｂ、４１３ｂ及び４１４ｂは、１次巻線４１１ａ、４１２ａ、４１３ａ及び４１４ａにより誘起される交流電圧を電圧検出値として生成し異常検出器１２０に与える。
【００８０】
異常検出装置４１５は、インバータ回路４１０における高電圧部とグランドＧＮＤとの間の絶縁物に絶縁不良がある場合に生じるコロナ放電及びアーク放電等の高電圧異常放電を検出するものである。この異常検出装置４１５は、１６個のバランストランス１１３、１１４、１１５、１１６、２１１、２１２、２１３、２１４、３１１、３１２、３１３、３１４、４１１、４１２、４１３及び４１４に発生する電圧から生成する電圧検出値に基づいて異常を検出する。
【００８１】
異常検出装置４１５は、１６個のバランストランス１１３、１１４、１１５、１１６、２１１、２１２、２１３、２１４、３１１、３１２、３１３、３１４、４１１、４１２、４１３及び４１４に追加された８対の３次巻線１１３ｃ、１１４ｃ、１１５ｃ、１１６ｃ、２１１ｃ、２１２ｃ、２１３ｃ、２１４ｃ、３１１ｃ、３１２ｃ、３１３ｃ、３１４ｃ、４１１ｃ、４１２ｃ、４１３ｃ及び４１４ｃと、８つダイオード１１８、１１９、２１６、２１７、３１６、３１７、４１６及び４１７と、異常検出器１２０と、報知装置１２１と、を具備している。すなわち、本実施の形態４に係る異常検出装置４１５は、上記実施の形態３に係る異常検出装置３１５に、２対の３次巻線４１１ｃ、４１２ｃ、４１３ｃ及び４１４ｃと、２つのダイオード４１６及び４１７と、が追加されてなる。
【００８２】
２対の３次巻線４１１ｃ、４１２ｃ、４１３ｃ及び４１４ｃは、当該２対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【００８３】
すなわち、隣り合う１対の３次巻線４１１ｃ及び４１２ｃは、当該１対の３次巻線４１１ｃ及び４１２ｃに発生する交流電圧を互いに相殺するように当該１対の３次巻線４１１ｃ及び４１２ｃが直列に接続されている。そして、当該１対の３次巻線４１１ｃ及び４１２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【００８４】
また、隣り合う１対の３次巻線４１３ｃ及び４１４ｃは、当該１対の３次巻線４１３ｃ及び４１４ｃに発生する交流電圧を互いに相殺するように当該１対の３次巻線４１３ｃ及び４１４ｃが直列に接続されている。そして、当該１対の３次巻線４１３ｃ及び４１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【００８５】
ダイオード４１６及び４１７は、１対の３次巻線の直列接続体の一端に入力端子が接続されて、当該１対の３次巻線の直列接続体に発生する脈流電圧を検出して電圧検出値を生成する。生成された電圧検出値は、異常検出器１２０の脈流直流電圧変換回路１２０１に出力される。
【００８６】
すなわち、ダイオード４１６は、隣り合う１対の３次巻線４１１ｃ及び４１２ｃの直列接続体の一端に入力端子が接続されて、当該１対の３次巻線４１１ｃ及び４１２ｃの直列接続体に発生する脈流電圧を検出して電圧検出値を生成する。
【００８７】
また、ダイオード４１７は、隣り合う１対の３次巻線４１３ｃ及び４１４ｃの直列接続体の一端に入力端子が接続されて、当該１対の３次巻線４１３ｃ及び４１４ｃの直列接続体に発生する脈流電圧を検出して電圧検出値を生成する。
【００８８】
（実施の形態５）
次に、本発明の実施の形態５について、図面を参照して詳細に説明する。図６は、本発明の実施の形態５に係るインバータ回路及びバックライト装置を示す回路図である。本発明の実施の形態５においては、本発明の実施の形態１と同じ構成要素には同じ参照符号を付してその説明を省略する。
【００８９】
図６に示すように、本発明の実施の形態５に係るバックライト装置５００は、インバータ回路１１０、２対の冷陰極管（放電管）１３０及び２つのランプコネクタ５１０及び５１１を具備している。すなわち、バックライト装置５００は、上記実施の形態１に係るバックライト装置１００に、ランプコネクタ５１０及び５１１を追加してなるものである。
【００９０】
ランプコネクタ５１０及び５１１は、複数対の冷陰極管１３０のうち隣り合う２対の冷陰極管１３０をそれぞれ束ねている。そして、ランプコネクタ５１０及び５１１は、複数のバランストランス１１３、１１４、１１５及び１１６の１次巻線１１３ａ、１１４ａ、１１５ａ及び１１６ａを介して、複数対の冷陰極管１３０を、インバータ１１１及び１１２にそれぞれ接続させる。
【００９１】
すなわち、ランプコネクタ５１０は、２つのバランストランス１１３及び１１４の１対の１次巻線１１３ａ及び１１４ａを介して、１対の冷陰極管１３０を、インバータ１１１及び１１２にそれぞれ接続させる。
【００９２】
また、ランプコネクタ５１１は、２つのバランストランス１１５及び１１６の１対の１次巻線１１５ａ及び１１６ａを介して、１対の冷陰極管１３０を、インバータ１１１及び１１２にそれぞれ接続させる。
【００９３】
このように、本実施の形態５によれば、複数対の冷陰極管と、バランストランスとを接続する場合、コネクタで２本の冷陰極管をまとめることにより、上記実施の形態１の効果に加えて、冷陰極管の設置及び交換等に係る作業効率を上げ、コストを低減することが可能となる。
【００９４】
（実施の形態６）
次に、本発明の実施の形態６について、図面を参照して詳細に説明する。図７は、本発明の実施の形態６に係るインバータ回路及びバックライト装置を示す回路図である。本発明の実施の形態６においては、本発明の実施の形態２、５と同じ構成要素には同じ参照符号を付してその説明を省略する。
【００９５】
図７に示すように、本発明の実施の形態６に係るバックライト装置６００は、インバータ回路２１０、４対の冷陰極管（放電管）１３０及び４つのランプコネクタ５１０、５１１、６１０及び６１１を具備している。すなわち、バックライト装置６００は、上記実施の形態２及び５に係るバックライト装置２００及び５００に、ランプコネクタ６１０及び６１１を追加してなるものである。
【００９６】
ランプコネクタ６１０及び６１１は、複数対の冷陰極管１３０のうち隣り合う２対の冷陰極管１３０をそれぞれ束ねている。そして、ランプコネクタ６１０及び６１１は、４つのバランストランス２１１、２１２、２１３及び２１４の１次巻線２１１ａ、２１２ａ、２１３ａ及び２１４ａを介して、２対の冷陰極管１３０を、インバータ１１１及び１１２にそれぞれ接続させる。
【００９７】
すなわち、ランプコネクタ６１０は、２つのバランストランス２１１及び２１２の１対の１次巻線２１１ａ及び２１２ａを介して、１対の冷陰極管１３０を、インバータ１１１及び１１２にそれぞれ接続させる。
【００９８】
また、ランプコネクタ６１１は、２つのバランストランス２１３及び２１４の１対の１次巻線２１３ａ及び２１４ａを介して、１対の冷陰極管１３０を、インバータ１１１及び１１２にそれぞれ接続させる。
【００９９】
（実施の形態７）
次に、本発明の実施の形態７について、図面を参照して詳細に説明する。図８は、本発明の実施の形態７に係るインバータ回路及びバックライト装置を示す回路図である。本発明の実施の形態７においては、本発明の実施の形態３、６と同じ構成要素には同じ参照符号を付してその説明を省略する。
【０１００】
図８に示すように、本発明の実施の形態７に係るバックライト装置７００は、インバータ回路３１０、６対の冷陰極管（放電管）１３０及び６つのランプコネクタ５１０、５１１、６１０、６１１、７１０及び７１１を具備している。すなわち、バックライト装置７００は、上記実施の形態３及び６に係るバックライト装置３００及び６００に、ランプコネクタ７１０及び７１１を追加してなるものである。
【０１０１】
ランプコネクタ７１０及び７１１は、複数対の冷陰極管１３０のうち隣り合う２対の冷陰極管１３０をそれぞれ束ねている。そして、ランプコネクタ７１０及び７１１は、４つのバランストランス３１１、３１２、３１３及び３１４の１次巻線３１１ａ、３１２ａ、３１３ａ及び３１４ａを介して、２対の冷陰極管１３０を、インバータ１１１及び１１２にそれぞれ接続させる。
【０１０２】
すなわち、ランプコネクタ７１０は、２つのバランストランス３１１及び３１２の１対の１次巻線３１１ａ及び３１２ａを介して、１対の冷陰極管１３０を、インバータ１１１及び１１２にそれぞれ接続させる。
【０１０３】
また、ランプコネクタ７１１は、２つのバランストランス３１３及び３１４の１対の１次巻線３１３ａ及び３１４ａを介して、１対の冷陰極管１３０を、インバータ１１１及び１１２にそれぞれ接続させる。
【０１０４】
（実施の形態８）
次に、本発明の実施の形態８について、図面を参照して詳細に説明する。図９は、本発明の実施の形態８に係るインバータ回路及びバックライト装置を示す回路図である。本発明の実施の形態８においては、本発明の実施の形態４、６と同じ構成要素には同じ参照符号を付してその説明を省略する。
【０１０５】
図９に示すように、本発明の実施の形態８に係るバックライト装置８００は、インバータ回路４１０、８対の冷陰極管（放電管）１３０及び８つのランプコネクタ５１０、５１１、６１０、６１１、７１０、７１１、８１０及び８１１を具備している。すなわち、バックライト装置８００は、上記実施の形態４及び７に係るバックライト装置４００及び７００に、ランプコネクタ８１０及び８１１を追加してなるものである。
【０１０６】
ランプコネクタ８１０及び８１１は、複数対の冷陰極管１３０のうち隣り合う２対の冷陰極管１３０をそれぞれ束ねている。そして、ランプコネクタ８１０及び８１１は、４つのバランストランス４１１、４１２、４１３及び４１４の１次巻線４１１ａ、４１２ａ、４１３ａ及び４１４ａを介して、２対の冷陰極管１３０を、インバータ１１１及び１１２にそれぞれ接続させる。
【０１０７】
すなわち、ランプコネクタ８１０は、２つのバランストランス４１１及び４１２の１対の１次巻線４１１ａ及び４１２ａを介して、１対の冷陰極管１３０を、インバータ１１１及び１１２にそれぞれ接続させる。
【０１０８】
また、ランプコネクタ８１１は、２つのバランストランス４１３及び４１４の１対の１次巻線４１３ａ及び４１４ａを介して、１対の冷陰極管１３０を、インバータ１１１及び１１２にそれぞれ接続させる。
【０１０９】
（実施の形態９）
次に、本発明の実施の形態９について、図面を参照して詳細に説明する。図１０は、本発明の実施の形態９に係るインバータ回路及びバックライト装置を示す回路図である。本発明の実施の形態９においては、本発明の実施の形態１、５と同じ構成要素には同じ参照符号を付してその説明を省略する。
【０１１０】
図１０に示すように、本発明の実施の形態９に係るバックライト装置９００は、インバータ回路９１０、２対の冷陰極管（放電管）１３０及び２つのランプコネクタ５１０及び５１１を具備している。
【０１１１】
インバータ回路９１０は、２つのインバータ１１１及び１１２と、４つのバランストランス１１１、１１２、１１３及び１１４と、異常検出装置９１１と、を具備している。すなわち、本実施の形態９に係るインバータ回路９１０は、異常検出装置９１１の構成のみ、上記実施の形態１に係るインバータ回路１１０と異なるものである。
【０１１２】
異常検出装置９１１は、インバータ回路９１０における高電圧部とグランドＧＮＤとの間の絶縁物に絶縁不良がある場合に生じるコロナ放電及びアーク放電等の高電圧異常放電を検出するものである。この異常検出装置９１１は、複数のバランストランス１１１、１１２、１１３及び１１４に発生する電圧から生成する電圧検出値に基づいて異常を検出する。
【０１１３】
異常検出装置９１１は、複数のバランストランス１１１、１１２、１１３及び１１４に追加された３次巻線９１２ｃ、９１３ｃ、９１４ｃ及び９１５ｃと、２つダイオード９１６及び９１７と、異常検出器１２０と、報知装置１２１と、を具備している。
【０１１４】
２対の３次巻線９１２ｃ、９１３ｃ、９１４ｃ及び９１５ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０１１５】
すなわち、１対の３次巻線９１２ｃ及び９１５ｃは、異なるコネクタ５１０及び５１１に接続されている１次巻線１１３ａ及び１１６ａにより交流電圧を誘起される１対の３次巻線９１２ｃ及び９１５ｃに発生する交流電圧を互いに相殺するように、当該１対の３次巻線９１２ｃ及び９１５ｃが直列に接続されている。そして、当該１対の３次巻線９１２ｃ及び９１５ｃの直列接続体の一端が２次巻線１１３ｂ、１１４ｂ、１１５ｂ及び１１６ｂの直列接続体のループを介して接地されている。
【０１１６】
また、１対の３次巻線９１３ｃ及び９１４ｃは、異なるコネクタ５１０及び５１１に接続されている１次巻線１１４ａ及び１１５ａにより交流電圧を誘起される１対の３次巻線９１３ｃ及び９１４ｃに発生する交流電圧を互いに相殺するように当該１対の３次巻線９１３ｃ及び９１４ｃが直列に接続されている。そして、当該１対の３次巻線９１３ｃ及び９１４ｃの直列接続体の一端が２次巻線１１３ｂ、１１４ｂ、１１５ｂ及び１１６ｂの直列接続体のループを介して接地されている。
【０１１７】
ダイオード９１６及び９１７は、１対の３次巻線の直列接続体の一端に入力端子が接続されて、当該１対の３次巻線の直列接続体に発生する脈流電圧を検出して電圧検出値を生成する。
【０１１８】
すなわち、ダイオード９１６は、異なるコネクタ５１０及び５１１に接続されている１次巻線１１３ａ及び１１６ａにより交流電圧を誘起される１対の３次巻線９１２ｃ及び９１５ｃの直列接続体の一端に入力端子が接続されて、当該１対の３次巻線９１２ｃ及び９１５ｃの直列接続体に発生する脈流電圧を検出して電圧検出値を生成する。
【０１１９】
また、ダイオード９１７は、異なるコネクタ５１０及び５１１に接続されている１次巻線１１４ａ及び１１５ａにより交流電圧を誘起される１対の３次巻線９１２ｃ及び９１３ｃの直列接続体の一端に入力端子が接続されて、当該１対の３次巻線９１３ｃ及び９１４ｃの直列接続体に発生する脈流電圧を検出して電圧検出値を生成する。
【０１２０】
異常検出器１２０は、複数のダイオード９１６及び９１７の出力端子に接続され、当該ダイオード９１６及び９１７に発生する電圧から生成する電圧検出値と所定の閾値とを比較して異常であるか否かを判断して判断結果を生成する。生成された判断結果は、報知装置１２１に出力される。
【０１２１】
このように、本発明の実施の形態９によれば、異なるコネクタに接続されている１次巻線により交流電圧を誘起される１対の３次巻線に発生する交流電圧を互いに相殺するように当該１対の３次巻線が直列に接続され、この直列接続体の一端が複数のダイオードの入力端子に接続されている。そして、異常検出器１２０は、複数のダイオードに発生する電圧から生成する電圧検出値と所定の閾値とを比較して異常であるか否かを判断して判断結果を生成し、報知装置１２１に与える。これにより、本発明の実施の形態９は、バックライト装置の内部において１対の冷陰極管双方に開放故障があった場合でも、異常動作を検出するための適切な閾値の設定を容易にし、かつ、異常動作の検出精度をさらに向上させることができる。
【０１２２】
すなわち、本発明の実施の形態９においては、１対の冷陰極管を束ねるコネクタが開放故障を起こした場合であっても、当該コネクタとインバータの出力端子との間に接続される１次巻線により交流電圧を誘起される３次巻線は、当該コネクタとは異なる他のコネクタに接続されている１次巻線により交流電圧を誘起される３次巻線と直列に接続され、この１対の３次巻線に発生する交流電圧を互いに相殺するため、バックライト装置の異常動作を検出することが可能になる。
【０１２３】
また、本発明の実施の形態９は、１対の３次巻線の直列接続体に対して１つのダイオードを設けることにより、従来のように全ての３次巻線に必要だったダイオードの数を半減させることができるため、回路構成を簡易化し、かつ、コストを削減することができる。
【０１２４】
（実施の形態１０）
次に、本発明の実施の形態１０について、図面を参照して詳細に説明する。図１１は、本発明の実施の形態１０に係るインバータ回路及びバックライト装置を示す回路図である。本発明の実施の形態１０においては、本発明の実施の形態２、６と同じ構成要素には同じ参照符号を付してその説明を省略する。
【０１２５】
図１１に示すように、本発明の実施の形態１０に係るバックライト装置１０００は、インバータ回路１０１０、４対の冷陰極管（放電管）１３０及び４つのランプコネクタ５１０、５１１、６１０及び６１１を具備している。
【０１２６】
インバータ回路１０１０は、２つのインバータ１１１及び１１２と、８つのバランストランス１１３、１１４、１１５、１１６、２１１、２１２、２１３及び２１４と、異常検出装置１０１１と、を具備している。すなわち、本実施の形態１０に係るインバータ回路１０１０は、異常検出装置１０１１の構成のみ、上記実施の形態２に係るインバータ回路２１０と異なるものである。
【０１２７】
異常検出装置１０１１は、インバータ回路１０１０における高電圧部とグランドＧＮＤとの間の絶縁物に絶縁不良がある場合に生じるコロナ放電及びアーク放電等の高電圧異常放電を検出するものである。この異常検出装置１０１１は、８つのバランストランス１１３、１１４、１１５、１１６、２１１、２１２、２１３及び２１４に発生する電圧から生成する電圧検出値に基づいて異常を検出する。
【０１２８】
異常検出装置１０１１は、８つのバランストランス１１３、１１４、１１５、１１６、２１１、２１２、２１３及び２１４に追加された３次巻線１０１２ｃ、１０１３ｃ、１０１４ｃ、１０１５ｃ、１０１６ｃ、１０１７ｃ、１０１８ｃ及び１０１９ｃと、４つダイオード１０２０、１０２１、１０２２及び１０２３と、異常検出器１２０と、報知装置１２１と、を具備している。
【０１２９】
４対の３次巻線１０１２ｃ、１０１３ｃ、１０１４ｃ、１０１５ｃ、１０１６ｃ、１０１７ｃ、１０１８ｃ及び１０１９ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０１３０】
すなわち、１対の３次巻線１０１２ｃ及び１０１９ｃは、異なるコネクタ５１０及び６１１に接続されている１次巻線１１３ａ及び２１４ａにより交流電圧を誘起される１対の３次巻線１０１２ｃ及び１０１９ｃに発生する交流電圧を互いに相殺するように、当該１対の３次巻線１０１２ｃ及び１０１９ｃが直列に接続されている。そして、当該１対の３次巻線１０１２ｃ及び１０１９ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【０１３１】
また、１対の３次巻線１０１３ｃ及び１０１４ｃは、異なるコネクタ５１０及び５１１に接続されている１次巻線１１４ａ及び１１５ａにより交流電圧を誘起される１対の３次巻線１０１３ｃ及び１０１４ｃに発生する交流電圧を互いに相殺するように当該１対の３次巻線１０１３ｃ及び１０１４ｃが直列に接続されている。そして、当該１対の３次巻線１０１３ｃ及び１０１４ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【０１３２】
また、１対の３次巻線１０１５ｃ及び１０１６ｃは、異なるコネクタ５１１及び６１０に接続されている１次巻線１１６ａ及び２１１ａにより交流電圧を誘起される１対の３次巻線１０１５ｃ及び１０１６ｃに発生する交流電圧を互いに相殺するように当該１対の３次巻線１０１５ｃ及び１０１６ｃが直列に接続されている。そして、当該１対の３次巻線１０１５ｃ及び１０１６ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【０１３３】
また、１対の３次巻線１０１７ｃ及び１０１８ｃは、異なるコネクタ６１０及び６１１に接続されている１次巻線２１２ａ及び２１３ａにより交流電圧を誘起される１対の３次巻線１０１７ｃ及び１０１８ｃに発生する交流電圧を互いに相殺するように当該１対の３次巻線１０１７ｃ及び１０１８ｃが直列に接続されている。そして、当該１対の３次巻線１０１７ｃ及び１０１８ｃの直列接続体の一端が２次巻線１１３ｂ、１１４ｂ、１１５ｂ、１１６ｂ、２１１ｂ、２１２ｂ、２１３ｂ及び２１４ｂの直列接続体のループを介して接地されている。
【０１３４】
ダイオード１０２０、１０２１、１０２２及び１０２３は、１対の３次巻線の直列接続体の一端に入力端子が接続されて、当該１対の３次巻線の直列接続体に発生する脈流電圧を検出して電圧検出値を生成する。
【０１３５】
すなわち、ダイオード１０２０は、異なるコネクタ５１０及び６１１に接続されている１次巻線１１３ａ及び２１４ａにより交流電圧を誘起される１対の３次巻線１０１２ｃ及び１０１９ｃの直列接続体の一端に入力端子が接続されて、当該１対の３次巻線１０１２ｃ及び１０１９ｃの直列接続体に発生する脈流電圧を検出して電圧検出値を生成する。
【０１３６】
また、ダイオード１０２１は、異なるコネクタ５１０及び５１１に接続されている１次巻線１１４ａ及び１１５ａにより交流電圧を誘起される１対の３次巻線１０１３ｃ及び１０１４ｃの直列接続体の一端に入力端子が接続されて、当該１対の３次巻線１０１３ｃ及び１０１４ｃの直列接続体に発生する脈流電圧を検出して電圧検出値を生成する。
【０１３７】
また、ダイオード１０２２は、異なるコネクタ５１１及び６１０に接続されている１次巻線１１６ａ及び２１１ａにより交流電圧を誘起される１対の３次巻線１０１５ｃ及び１０１６ｃの直列接続体の一端に入力端子が接続されて、当該１対の３次巻線１０１５ｃ及び１０１６ｃの直列接続体に発生する脈流電圧を検出して電圧検出値を生成する。
【０１３８】
また、ダイオード１０２３は、異なるコネクタ６１０及び６１１に接続されている１次巻線２１２ａ及び２１３ａにより交流電圧を誘起される１対の３次巻線１０１７ｃ及び１０１８ｃの直列接続体の一端に入力端子が接続されて、当該１対の３次巻線１０１７ｃ及び１０１８ｃの直列接続体に発生する脈流電圧を検出して電圧検出値を生成する。
【０１３９】
異常検出器１２０は、４つのダイオード１０２０、１０２１、１０２２及び１０２３の出力端子に接続され、当該ダイオード１０２０、１０２１、１０２２及び１０２３に発生する電圧から生成する電圧検出値と所定の閾値とを比較して異常であるか否かを判断して判断結果を生成する。生成された判断結果は、報知装置１２１に出力される。
【０１４０】
（実施の形態１１）
次に、本発明の実施の形態１１について、図面を参照して詳細に説明する。図１２は、本発明の実施の形態１１に係るインバータ回路及びバックライト装置を示す回路図である。本発明の実施の形態１１においては、本発明の実施の形態３、７と同じ構成要素には同じ参照符号を付してその説明を省略する。
【０１４１】
図１２に示すように、本発明の実施の形態１１に係るバックライト装置１１００は、インバータ回路１１１０、６対の冷陰極管（放電管）１３０及び６つのランプコネクタ５１０、５１１、６１０、６１１、７１０及び７１１を具備している。
【０１４２】
インバータ回路１１１０は、２つのインバータ１１１及び１１２と、１２個のバランストランス１１３、１１４、１１５、１１６、２１１、２１２、２１３、２１４、３１１、３１２、３１３及び３１４と、異常検出装置１１１１と、を具備している。すなわち、本実施の形態１１に係るインバータ回路１１１０は、異常検出装置１１１１の構成のみ、上記実施の形態３に係るインバータ回路３１０と異なるものである。
【０１４３】
異常検出装置１１１１は、インバータ回路１１１０における高電圧部とグランドＧＮＤとの間の絶縁物に絶縁不良がある場合に生じるコロナ放電及びアーク放電等の高電圧異常放電を検出するものである。この異常検出装置１１１１は、１２個のバランストランス１１３、１１４、１１５、１１６、２１１、２１２、２１３、２１４、３１１、３１２、３１３及び３１４に発生する電圧から生成する電圧検出値に基づいて異常を検出する。
【０１４４】
異常検出装置１１１１は、１２個のバランストランス１１３、１１４、１１５、１１６、２１１、２１２、２１３、２１４、３１１、３１２、３１３及び３１４に追加された３次巻線１１１２ｃ、１１１３ｃ、１１１４ｃ、１１１５ｃ、１１１６ｃ、１１１７ｃ、１１１８ｃ、１１１９ｃ、１１２０ｃ、１１２１ｃ、１１２２ｃ及び１１２３ｃと、６つダイオード１１２４、１１２５、１１２６、１１２７、１１２８及び１１２９と、異常検出器１２０と、報知装置１２１と、を具備している。
【０１４５】
６対の３次巻線１１１２ｃ、１１１３ｃ、１１１４ｃ、１１１５ｃ、１１１６ｃ、１１１７ｃ、１１１８ｃ、１１１９ｃ、１１２０ｃ、１１２１ｃ、１１２２ｃ及び１１２３ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０１４６】
すなわち、１対の３次巻線１１１２ｃ及び１１２３ｃは、異なるコネクタ５１０及び７１１に接続されている１次巻線１１３ａ及び３１４ａにより交流電圧を誘起される１対の３次巻線１１１２ｃ及び１１２３ｃに発生する交流電圧を互いに相殺するように、当該１対の３次巻線１１１２ｃ及び１０２３ｃが直列に接続されている。そして、当該１対の３次巻線１１１２ｃ及び１１２３ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１４７】
また、１対の３次巻線１１１３ｃ及び１１１４ｃは、異なるコネクタ５１０及び５１１に接続されている１次巻線１１４ａ及び１１５ａにより交流電圧を誘起される１対の３次巻線１１１３ｃ及び１１１４ｃに発生する交流電圧を互いに相殺するように当該１対の３次巻線１１１３ｃ及び１１１４ｃが直列に接続されている。そして、当該１対の３次巻線１１１３ｃ及び１１１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１４８】
また、１対の３次巻線１１１５ｃ及び１１１６ｃは、異なるコネクタ５１１及び６１０に接続されている１次巻線１１６ａ及び２１１ａにより交流電圧を誘起される１対の３次巻線１１１５ｃ及び１１１６ｃに発生する交流電圧を互いに相殺するように当該１対の３次巻線１１１５ｃ及び１１１６ｃが直列に接続されている。そして、当該１対の３次巻線１１１５ｃ及び１１１６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１４９】
また、１対の３次巻線１１１７ｃ及び１１１８ｃは、異なるコネクタ６１０及び６１１に接続されている１次巻線２１２ａ及び２１３ａにより交流電圧を誘起される１対の３次巻線１１１７ｃ及び１１１８ｃに発生する交流電圧を互いに相殺するように当該１対の３次巻線１１１７ｃ及び１１１８ｃが直列に接続されている。そして、当該１対の３次巻線１１１７ｃ及び１１１８ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１５０】
また、１対の３次巻線１１１９ｃ及び１１２０ｃは、異なるコネクタ６１１及び７１０に接続されている１次巻線２１４ａ及び３１１ａにより交流電圧を誘起される１対の３次巻線１１１９ｃ及び１１２０ｃに発生する交流電圧を互いに相殺するように当該１対の３次巻線１１１９ｃ及び１１２０ｃが直列に接続されている。そして、当該１対の３次巻線１１１９ｃ及び１１２０ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１５１】
また、１対の３次巻線１１２１ｃ及び１１２２ｃは、異なるコネクタ７１０及び７１１に接続されている１次巻線３１２ａ及び３１３ａにより交流電圧を誘起される１対の３次巻線１１２１ｃ及び１１２２ｃに発生する交流電圧を互いに相殺するように当該１対の３次巻線１１２１ｃ及び１１２２ｃが直列に接続されている。そして、当該１対の３次巻線１１２１ｃ及び１１２２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１５２】
ダイオード１１２４、１１２５、１１２６、１１２７、１１２８及び１１２９は、１対の３次巻線の直列接続体の一端に入力端子が接続されて、当該１対の３次巻線の直列接続体に発生する脈流電圧を検出して電圧検出値を生成する。
【０１５３】
すなわち、ダイオード１１２４は、異なるコネクタ５１０及び７１１に接続されている１次巻線１１３ａ及び３１４ａにより交流電圧を誘起される１対の３次巻線１１１２ｃ及び１１２３ｃの直列接続体の一端に入力端子が接続されて、当該１対の３次巻線１１１２ｃ及び１１２３ｃの直列接続体に発生する脈流電圧を検出して電圧検出値を生成する。
【０１５４】
また、ダイオード１１２５は、異なるコネクタ５１０及び５１１に接続されている１次巻線１１４ａ及び１１５ａにより交流電圧を誘起される１対の３次巻線１１１３ｃ及び１１１４ｃの直列接続体の一端に入力端子が接続されて、当該１対の３次巻線１１１３ｃ及び１１１４ｃの直列接続体に発生する脈流電圧を検出して電圧検出値を生成する。
【０１５５】
また、ダイオード１１２６は、異なるコネクタ５１１及び６１０に接続されている１次巻線１１６ａ及び２１１ａにより交流電圧を誘起される１対の３次巻線１１１５ｃ及び１１１６ｃの直列接続体の一端に入力端子が接続されて、当該１対の３次巻線１１１５ｃ及び１１１６ｃの直列接続体に発生する脈流電圧を検出して電圧検出値を生成する。
【０１５６】
また、ダイオード１１２７は、異なるコネクタ６１０及び６１１に接続されている１次巻線２１２ａ及び２１３ａにより交流電圧を誘起される１対の３次巻線１１１７ｃ及び１１１８ｃの直列接続体の一端に入力端子が接続されて、当該１対の３次巻線１１１７ｃ及び１１１８ｃの直列接続体に発生する脈流電圧を検出して電圧検出値を生成する。
【０１５７】
また、ダイオード１１２８は、異なるコネクタ６１１及び７１０に接続されている１次巻線２１４ａ及び３１１ａにより交流電圧を誘起される１対の３次巻線１１１９ｃ及び１１２０ｃの直列接続体の一端に入力端子が接続されて、当該１対の３次巻線１１１９ｃ及び１１２０ｃの直列接続体に発生する脈流電圧を検出して電圧検出値を生成する。
【０１５８】
また、ダイオード１１２９は、異なるコネクタ７１０及び７１１に接続されている１次巻線３１２ａ及び３１３ａにより交流電圧を誘起される１対の３次巻線１１２１ｃ及び１１２２ｃの直列接続体の一端に入力端子が接続されて、当該１対の３次巻線１１２１ｃ及び１１２２ｃの直列接続体に発生する脈流電圧を検出して電圧検出値を生成する。
【０１５９】
異常検出器１２０は、６つのダイオード１１２４、１１２５、１１２６、１１２７、１１２８及び１１２９の出力端子に接続され、当該ダイオード１１２４、１１２５、１１２６、１１２７、１１２８及び１１２９に発生する電圧から生成する電圧検出値と所定の閾値とを比較して異常であるか否かを判断して判断結果を生成する。生成された判断結果は、報知装置１２１に出力される。
【０１６０】
（実施の形態１２）
次に、本発明の実施の形態１２について、図面を参照して詳細に説明する。図１３は、本発明の実施の形態１２に係るインバータ回路及びバックライト装置を示す回路図である。本発明の実施の形態１２においては、本発明の実施の形態４、８と同じ構成要素には同じ参照符号を付してその説明を省略する。
【０１６１】
図１３に示すように、本発明の実施の形態１２に係るバックライト装置１２００は、インバータ回路１２１０、８対の冷陰極管（放電管）１３０及び８つのランプコネクタ５１０、５１１、６１０、６１１、７１０、７１１、８１０及び８１１を具備している。
【０１６２】
インバータ回路１２１０は、２つのインバータ１１１及び１１２と、１６個のバランストランス１１３、１１４、１１５、１１６、２１１、２１２、２１３、２１４、３１１、３１２、３１３、３１４、４１１、４１２、４１３及び４１４と、異常検出装置１２１１と、を具備している。すなわち、本実施の形態１２に係るインバータ回路１２１０は、異常検出装置１２１１の構成のみ、上記実施の形態４に係るインバータ回路４１０と異なるものである。
【０１６３】
異常検出装置１２１１は、インバータ回路１２１０における高電圧部とグランドＧＮＤとの間の絶縁物に絶縁不良がある場合に生じるコロナ放電及びアーク放電等の高電圧異常放電を検出するものである。この異常検出装置１２１１は、１６個のバランストランス１１３、１１４、１１５、１１６、２１１、２１２、２１３、２１４、３１１、３１２、３１３、３１４、４１１、４１２、４１３及び４１４に発生する電圧から生成する電圧検出値に基づいて異常を検出する。
【０１６４】
異常検出装置１２１１は、１６個のバランストランス１１３、１１４、１１５、１１６、２１１、２１２、２１３、２１４、３１１、３１２、３１３、３１４、４１１、４１２、４１３及び４１４に追加された３次巻線１２１２ｃ、１２１３ｃ、１２１４ｃ、１２１５ｃ、１２１６ｃ、１２１７ｃ、１２１８ｃ、１２１９ｃ、１２２０ｃ、１２２１ｃ、１２２２ｃ、１２２３ｃ、１２２４ｃ、１２２５ｃ、１２２６ｃ及び１２２７ｃと、８つダイオード１２２８、１２２９、１２３０、１２３１、１２３２、１２３３、１２３４及び１２３５と、異常検出器１２０と、報知装置１２１と、を具備している。
【０１６５】
８対の３次巻線１２１２ｃ、１２１３ｃ、１２１４ｃ、１２１５ｃ、１２１６ｃ、１２１７ｃ、１２１８ｃ、１２１９ｃ、１２２０ｃ、１２２１ｃ、１２２２ｃ、１２２３ｃ、１２２４ｃ、１２２５ｃ、１２２６ｃ及び１２２７ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０１６６】
すなわち、１対の３次巻線１２１２ｃ及び１２２７ｃは、異なるコネクタ５１０及び８１１に接続されている１次巻線１１３ａ及び４１４ａにより交流電圧を誘起される１対の３次巻線１２１２ｃ及び１２２７ｃに発生する交流電圧を互いに相殺するように、当該１対の３次巻線１２１２ｃ及び１２２７ｃが直列に接続されている。そして、当該１対の３次巻線１２１２ｃ及び１２２７ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１６７】
また、１対の３次巻線１２１３ｃ及び１２１４ｃは、異なるコネクタ５１０及び５１１に接続されている１次巻線１１４ａ及び１１５ａにより交流電圧を誘起される１対の３次巻線１２１３ｃ及び１２１４ｃに発生する交流電圧を互いに相殺するように当該１対の３次巻線１２１３ｃ及び１２１４ｃが直列に接続されている。そして、当該１対の３次巻線１２１３ｃ及び１２１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１６８】
また、１対の３次巻線１２１５ｃ及び１２１６ｃは、異なるコネクタ５１１及び６１０に接続されている１次巻線１１６ａ及び２１１ａにより交流電圧を誘起される１対の３次巻線１２１５ｃ及び１２１６ｃに発生する交流電圧を互いに相殺するように当該１対の３次巻線１２１５ｃ及び１２１６ｃが直列に接続されている。そして、当該１対の３次巻線１２１５ｃ及び１２１６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１６９】
また、１対の３次巻線１２１７ｃ及び１２１８ｃは、異なるコネクタ６１０及び６１１に接続されている１次巻線２１２ａ及び２１３ａにより交流電圧を誘起される１対の３次巻線１２１７ｃ及び１２１８ｃに発生する交流電圧を互いに相殺するように当該１対の３次巻線１２１７ｃ及び１２１８ｃが直列に接続されている。そして、当該１対の３次巻線１２１７ｃ及び１２１８ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１７０】
また、１対の３次巻線１２１９ｃ及び１２２０ｃは、異なるコネクタ６１１及び７１０に接続されている１次巻線２１４ａ及び３１１ａにより交流電圧を誘起される１対の３次巻線１２１９ｃ及び１２２０ｃに発生する交流電圧を互いに相殺するように当該１対の３次巻線１２１９ｃ及び１２２０ｃが直列に接続されている。そして、当該１対の３次巻線１２１９ｃ及び１２２０ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１７１】
また、１対の３次巻線１２２１ｃ及び１２２２ｃは、異なるコネクタ７１０及び７１１に接続されている１次巻線３１２ａ及び３１３ａにより交流電圧を誘起される１対の３次巻線１２２１ｃ及び１２２２ｃに発生する交流電圧を互いに相殺するように当該１対の３次巻線１２２１ｃ及び１２２２ｃが直列に接続されている。そして、当該１対の３次巻線１２２１ｃ及び１２２２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１７２】
また、１対の３次巻線１２２３ｃ及び１２２４ｃは、異なるコネクタ７１１及び８１０に接続されている１次巻線３１４ａ及び４１１ａにより交流電圧を誘起される１対の３次巻線１２２３ｃ及び１２２４ｃに発生する交流電圧を互いに相殺するように当該１対の３次巻線１２２３ｃ及び１２２４ｃが直列に接続されている。そして、当該１対の３次巻線１２２３ｃ及び１２２４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１７３】
また、１対の３次巻線１２２５ｃ及び１２２６ｃは、異なるコネクタ８１０及び８１１に接続されている１次巻線４１２ａ及び４１３ａにより交流電圧を誘起される１対の３次巻線１２２５ｃ及び１２２６ｃに発生する交流電圧を互いに相殺するように当該１対の３次巻線１２２５ｃ及び１２２６ｃが直列に接続されている。そして、当該１対の３次巻線１２２５ｃ及び１２２６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０１７４】
ダイオード１２２８、１２２９、１２３０、１２３１、１２３２、１２３３、１２３４、１２３５は、１対の３次巻線の直列接続体の一端に入力端子が接続されて、当該１対の３次巻線の直列接続体に発生する脈流電圧を検出して電圧検出値を生成する。
【０１７５】
すなわち、ダイオード１２２８は、異なるコネクタ５１０及び８１１に接続されている１次巻線１１３ａ及び４１４ａにより交流電圧を誘起される１対の３次巻線１２１２ｃ及び１２２７ｃの直列接続体の一端に入力端子が接続されて、当該１対の３次巻線１２１２ｃ及び１２２７ｃの直列接続体に発生する脈流電圧を検出して電圧検出値を生成する。
【０１７６】
また、ダイオード１２２９は、異なるコネクタ５１０及び５１１に接続されている１次巻線１１４ａ及び１１５ａにより交流電圧を誘起される１対の３次巻線１２１３ｃ及び１２１４ｃの直列接続体の一端に入力端子が接続されて、当該１対の３次巻線１２１３ｃ及び１２１４ｃの直列接続体に発生する脈流電圧を検出して電圧検出値を生成する。
【０１７７】
また、ダイオード１２３０は、異なるコネクタ５１１及び６１０に接続されている１次巻線１１６ａ及び２１１ａにより交流電圧を誘起される１対の３次巻線１２１５ｃ及び１２１６ｃの直列接続体の一端に入力端子が接続されて、当該１対の３次巻線１２１５ｃ及び１２１６ｃの直列接続体に発生する脈流電圧を検出して電圧検出値を生成する。
【０１７８】
また、ダイオード１２３１は、異なるコネクタ６１０及び６１１に接続されている１次巻線２１２ａ及び２１３ａにより交流電圧を誘起される１対の３次巻線１２１７ｃ及び１２１８ｃの直列接続体の一端に入力端子が接続されて、当該１対の３次巻線１２１７ｃ及び１２１８ｃの直列接続体に発生する脈流電圧を検出して電圧検出値を生成する。
【０１７９】
また、ダイオード１２３２は、異なるコネクタ６１１及び７１０に接続されている１次巻線２１４ａ及び３１１ａにより交流電圧を誘起される１対の３次巻線１２１９ｃ及び１２２０ｃの直列接続体の一端に入力端子が接続されて、当該１対の３次巻線１２１９ｃ及び１２２０ｃの直列接続体に発生する脈流電圧を検出して電圧検出値を生成する。
【０１８０】
また、ダイオード１２３３は、異なるコネクタ７１０及び７１１に接続されている１次巻線３１２ａ及び３１３ａにより交流電圧を誘起される１対の３次巻線１２２１ｃ及び１２２２ｃの直列接続体の一端に入力端子が接続されて、当該１対の３次巻線１２２１ｃ及び１２２２ｃの直列接続体に発生する脈流電圧を検出して電圧検出値を生成する。
【０１８１】
また、ダイオード１２３４は、異なるコネクタ７１１及び８１０に接続されている１次巻線３１４ａ及び４１１ａにより交流電圧を誘起される１対の３次巻線１２２３ｃ及び１２２４ｃの直列接続体の一端に入力端子が接続されて、当該１対の３次巻線１２２３ｃ及び１２２４ｃの直列接続体に発生する脈流電圧を検出して電圧検出値を生成する。
【０１８２】
また、ダイオード１２３５は、異なるコネクタ８１０及び８１１に接続されている１次巻線４１２ａ及び４１３ａにより交流電圧を誘起される１対の３次巻線１２２５ｃ及び１２２６ｃの直列接続体の一端に入力端子が接続されて、当該１対の３次巻線１２２５ｃ及び１２２６ｃの直列接続体に発生する脈流電圧を検出して電圧検出値を生成する。
【０１８３】
異常検出器１２０は、８つのダイオード１２２８、１２２９、１２３０、１２３１、１２３２、１２３３、１２３４、１２３５の出力端子に接続され、当該ダイオード１２２８、１２２９、１２３０、１２３１、１２３２、１２３３、１２３４、１２３５に発生する電圧から生成する電圧検出値と所定の閾値とを比較して異常であるか否かを判断して判断結果を生成する。生成された判断結果は、報知装置１２１に出力される。
【０１８４】
（実施の形態１３）
次に、本発明の実施の形態１３について、図面を参照して詳細に説明する。図１４は、本発明の実施の形態１３に係るインバータ回路及びバックライト装置を示す回路図である。本発明の実施の形態１３においては、本発明の実施の形態３と同じ構成要素には同じ参照符号を付してその説明を省略する。
【０１８５】
図１４に示すように、本発明の実施の形態１３に係るバックライト装置１３００は、インバータ回路１３１０、６対の冷陰極管（放電管）１３０を具備している。
【０１８６】
インバータ回路１３１０は、２つのインバータ１１１及び１１２と、第１の基板１３２０と、第２の基板１３３０と、第１の基板１３２０に実装される第１の電力供給線１３４０と、第２の基板１３３０に実装される第２の電力供給線１３５０と、基板間接続用コネクタ１３６０と、第１の基板１３２０に実装される第１のグループのバランストランス１３７０と、第２の基板１３３０に実装される第２のグループのバランストランス１３８０と、異常検出装置１３９０と、を具備している。
【０１８７】
第１の電力供給線１３４０は、インバータ１１１及び１１２の出力端子と、第１のグループのバランストランス１３７０の入力端子と、に接続されている。第１のグループのバランストランス１３７０は、３対の冷陰極管１３０に接続されている。そして、インバータ１１１及び１１２は、第１の電力供給線１３４０及び第１のグループのバランストランス１３７０を介して、３対の冷陰極管１３０に電力を供給する。
【０１８８】
また、第２の電力供給線１３５０は、インバータ１１１及び１１２の出力端子と、第２のグループのバランストランス１３８０の入力端子と、に接続されている。第２のグループのバランストランス１３８０は、３対の冷陰極管１３０に接続されている。そして、インバータ１１１及び１１２は、第２の電力供給線１３５０及び第２のグループのバランストランス１３８０を介して、３対の冷陰極管１３０に電力を供給する。
【０１８９】
基板間接続用コネクタ１３６０は、第１の電力供給線１３４０と、第２の電力供給線１３５０と、を電気的に接続する。また、基板間接続用コネクタ１３６０は、第１のグループのバランストランス１３７０と、第２のグループのバランストランス１３８０と、を電気的に接続する。また、基板間接続用コネクタ１３６０は、異常検出装置１３９０の第１の異常検出部１３９１と、異常検出装置１３９０の第２の異常検出部１３９２と、を電気的に接続する。
【０１９０】
第１のグループのバランストランス１３７０は、６つのバランストランス１１３、１１４、１１５、１１６、２１１及び２１２を有している。そして、この６つのバランストランス１１３、１１４、１１５、１１６、２１１及び２１２は、第１の電力供給線１３４０と、３対の冷陰極管１３０の各々との間にそれぞれ接続される１次巻線１１３ａ、１１４ａ、１１５ａ、１１６ａ、２１１ａ及び２１２ａを有している。また、この６つのバランストランス１１３、１１４、１１５、１１６、２１１及び２１２は、１次巻線１１３ａ、１１４ａ、１１５ａ、１１６ａ、２１１ａ及び２１２ａにより交流電圧を誘起される６つの２次巻線１１３ｂ、１１４ｂ、１１５ｂ、１１６ｂ、２１１ｂ及び２１２ｂを有している。この２次巻線１１３ｂ、１１４ｂ、１１５ｂ、１１６ｂ、２１１ｂ及び２１２ｂは、隣り合う２次巻線１１３ｂ、１１４ｂ、１１５ｂ、１１６ｂ、２１１ｂ及び２１２ｂと直列に接続されている。
【０１９１】
第２のグループのバランストランス１３８０は、６つのバランストランス２１３、２１４、３１１、３１２、３１３及び３１４を有している。そして、この６つのバランストランス２１３、２１４、３１１、３１２、３１３及び３１４は、第２の電力供給線１３５０と、３対の冷陰極管１３０の各々との間にそれぞれ接続される１次巻線２１３ａ、２１４ａ、３１１ａ、３１２ａ、３１３ａ及び３１４ａを有している。また、この６つのバランストランス２１３、２１４、３１１、３１２、３１３及び３１４は、１次巻線２１３ａ、２１４ａ、３１１ａ、３１２ａ、３１３ａ及び３１４ａにより交流電圧を誘起される６つの２次巻線２１３ｂ、２１４ｂ、３１１ｂ、３１２ｂ、３１３ｂ及び３１４ｂを有している。この２次巻線２１３ｂ、２１４ｂ、３１１ｂ、３１２ｂ、３１３ｂ及び３１４ｂは、隣り合う２次巻線２１３ｂ、２１４ｂ、３１１ｂ、３１２ｂ、３１３ｂ及び３１４ｂと直列に接続されている。
【０１９２】
そして、この第１及び第２のグループのバランストランス１３６０及び１３７０の複数の２次巻線は、基板間接続用コネクタ１３６０により接続されて、２次巻線直列接続体のループを形成し、この２次巻線直列接続体のループの一部がグランドＧＮＤに接続されている。すなわち、第１のグループのバランストランス１３７０の６つの２次巻線１１３ｂ、１１４ｂ、１１５ｂ、１１６ｂ、２１１ｂ及び２１２ｂは、基板間接続用コネクタ１３６０により接続されて、第２のグループのバランストランス１３８０の６つの２次巻線２１３ｂ、２１４ｂ、３１１ｂ、３１２ｂ、３１３ｂ及び３１４ｂと２次巻線直列接続体のループを形成し、この２次巻線直列接続体のループの一部がグランドＧＮＤに接続されている。
【０１９３】
異常検出装置１３９０は、インバータ回路１３１０における高電圧部とグランドＧＮＤとの間の絶縁物に絶縁不良がある場合に生じるコロナ放電及びアーク放電等の高電圧異常放電を検出するものである。この異常検出装置１３９０は、第１及び第２のグループのバランストランス１３７０及び１３８０に発生する電圧から生成する電圧検出値に基づいて異常を検出する。
【０１９４】
異常検出装置１３９０は、第１の異常検出部１３９１と、第２の異常検出部１３９２と、異常検出器１２０と、報知装置１２１と、を有している。
【０１９５】
第１の異常検出部１３９１は、３対の３次巻線１１３ｃ、１１４ｃ、１１５ｃ、１１６ｃ、２１１ｃ及び２１３ｃと、３つのダイオード１１８、１１９及び２１６とを有している。
【０１９６】
第１の異常検出部１３９１の３対の３次巻線１１３ｃ、１１４ｃ、１１５ｃ、１１６ｃ、２１１ｃ及び２１３ｃは、当該３対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０１９７】
すなわち、隣り合う１対の３次巻線１１３ｃ及び１１４ｃは、当該１対の３次巻線１１３ｃ及び１１４ｃに発生する交流電圧を互いに相殺するように当該１対の３次巻線１１３ｃ及び１１４ｃが直列に接続されている。そして、当該１対の３次巻線１１３ｃ及び１１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１９８】
また、隣り合う１対の３次巻線１１５ｃ及び１１６ｃは、当該１対の３次巻線１１５ｃ及び１１６ｃに発生する交流電圧を互いに相殺するように当該１対の３次巻線１１５ｃ及び１１６ｃが直列に接続されている。そして、当該１対の３次巻線１１５ｃ及び１１６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０１９９】
また、隣り合う１対の３次巻線２１１ｃ及び２１２ｃは、当該１対の３次巻線２１１ｃ及び２１２ｃに発生する交流電圧を互いに相殺するように当該１対の３次巻線２１１ｃ及び２１２ｃが直列に接続されている。そして、当該１対の３次巻線２１１ｃ及び２１２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２００】
第２の異常検出部１３９２は、３対の３次巻線２１３ｃ、２１４ｃ、３１１ｃ、３１２ｃ、３１３ｃ及び３１４ｃと、３つのダイオード２１７、３１６及び３１７とを有している。
【０２０１】
第２の異常検出部１３９２の３対の３次巻線２１３ｃ、２１４ｃ、３１１ｃ、３１２ｃ、３１３ｃ及び３１４ｃは、当該３対の３次巻線のうち隣り合う１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０２０２】
すなわち、隣り合う１対の３次巻線２１３ｃ及び２１４ｃは、当該１対の３次巻線２１３ｃ及び２１４ｃに発生する交流電圧を互いに相殺するように当該１対の３次巻線２１３ｃ及び２１４ｃが直列に接続されている。そして、当該１対の３次巻線２１３ｃ及び２１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２０３】
また、隣り合う１対の３次巻線３１１ｃ及び３１２ｃは、当該１対の３次巻線３１１ｃ及び３１２ｃに発生する交流電圧を互いに相殺するように当該１対の３次巻線３１１ｃ及び３１２ｃが直列に接続されている。そして、当該１対の３次巻線３１１ｃ及び３１２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２０４】
また、隣り合う１対の３次巻線３１３ｃ及び３１４ｃは、当該１対の３次巻線３１３ｃ及び３１４ｃに発生する交流電圧を互いに相殺するように当該１対の３次巻線３１３ｃ及び３１４ｃが直列に接続されている。そして、当該１対の３次巻線３１３ｃ及び３１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２０５】
このように、第１の異常検出部１３９１の３次巻線と第２の異常検出部１３９２の３次巻線とは基板間接続用コネクタ１３６０により接続され、第１及び第２の異常検出部における１対の３次巻線の直列接続体の一端は２次巻線直列接続体のループを介して接地されている。
【０２０６】
第１の異常検出部１３９１のダイオード１１８、１１９及び２１６は、１対の３次巻線の直列接続体の一端に入力端子が接続されて、当該１対の３次巻線の直列接続体に発生する脈流電圧を検出して電圧検出値を生成する。
【０２０７】
すなわち、ダイオード１１８は、隣り合う１対の３次巻線１１３ｃ及び１１４ｃの直列接続体の一端に入力端子が接続されて、当該１対の３次巻線１１３ｃ及び１１４ｃの直列接続体に発生する脈流電圧を検出して電圧検出値を生成する。
【０２０８】
また、ダイオード１１９は、隣り合う１対の３次巻線１１５ｃ及び１１６ｃの直列接続体の一端に入力端子が接続されて、当該１対の３次巻線１１５ｃ及び１１６ｃの直列接続体に発生する脈流電圧を検出して電圧検出値を生成する。
【０２０９】
また、ダイオード２１６は、隣り合う１対の３次巻線２１１ｃ及び２１２ｃの直列接続体の一端に入力端子が接続されて、当該１対の３次巻線２１１ｃ及び２１２ｃの直列接続体に発生する脈流電圧を検出して電圧検出値を生成する。
【０２１０】
第２の異常検出部１３９２のダイオード２１７、３１６及び３１７は、１対の３次巻線の直列接続体の一端に入力端子が接続されて、当該１対の３次巻線の直列接続体に発生する脈流電圧を検出して電圧検出値を生成する。
【０２１１】
すなわち、ダイオード２１７は、隣り合う１対の３次巻線２１３ｃ及び２１４ｃの直列接続体の一端に入力端子が接続されて、当該１対の３次巻線２１３ｃ及び２１４ｃの直列接続体に発生する脈流電圧を検出して電圧検出値を生成する。
【０２１２】
また、ダイオード３１６は、隣り合う１対の３次巻線３１１ｃ及び３１２ｃの直列接続体の一端に入力端子が接続されて、当該１対の３次巻線３１１ｃ及び３１２ｃの直列接続体に発生する脈流電圧を検出して電圧検出値を生成する。
【０２１３】
また、ダイオード３１７は、隣り合う１対の３次巻線３１３ｃ及び３１４ｃの直列接続体の一端に入力端子が接続されて、当該１対の３次巻線３１３ｃ及び３１４ｃの直列接続体に発生する脈流電圧を検出して電圧検出値を生成する。
【０２１４】
異常検出器１２０は、第１の異常検出部１３９１のダイオード１１８、１１９及び２１６の出力端子と、第２の異常検出部１３９２のダイオード２１７、３１６及び３１７の出力端子とに接続され、当該ダイオード１１８、１１９、２１６、２１７、３１６及び３１７に発生する電圧から生成する電圧検出値と所定の閾値とを比較して異常であるか否かを判断して判断結果を生成する。
【０２１５】
このように、本発明の実施の形態１３によれば、基板間接続用コネクタが、第１及び第２の電力供給線、第１及び第２の基板、第１及び第２のグループのバランストランス並びに第１及び第２の異常検出部を電気的に接続する。そして、各異常検出部の複数対の３次巻線のうち、隣り合う１対の３次巻線に発生する交流電圧を互いに相殺するように１対の３次巻線が基板間接続用コネクタを介して直列に接続され、この直列接続体の一端が複数のダイオードの入力端子に接続されている。これにより、本発明の実施の形態１３によれば、１枚の基板（プリント基板）でバックライト装置を構成できない場合であっても、基板間コネクタの端子数を増加させることなく、バックライト装置を大型化することが可能になる。また、本発明の実施の形態１３によれば、バックライト装置の大型化に伴い冷陰極管の数量が増加した場合であっても、各基板内の複数対の３次巻線が当該３次巻線のうち隣り合う１対の３次巻線に発生する交流電圧を互いに相殺するように直列接続されているため、異常動作の検出精度を向上させることができる。
【０２１６】
（実施の形態１４）
次に、本発明の実施の形態１４について、図面を参照して詳細に説明する。図１５は、本発明の実施の形態１４に係るインバータ回路及びバックライト装置を示す回路図である。本発明の実施の形態１４においては、本発明の実施の形態４、１３と同じ構成要素には同じ参照符号を付してその説明を省略する。
【０２１７】
図１５に示すように、本発明の実施の形態１４に係るバックライト装置１４００は、インバータ回路１４１０、８対の冷陰極管（放電管）１３０を具備している。
【０２１８】
インバータ回路１４１０は、２つのインバータ１１１及び１１２と、第１の基板１３２０と、第２の基板１３３０と、第１の基板１３２０に実装される第１の電力供給線１３４０と、第２の基板１３３０に実装される第２の電力供給線１３５０と、基板間接続用コネクタ１３６０と、第１の基板１３２０に実装される第１のグループのバランストランス１４２０と、第２の基板１３３０に実装される第２のグループのバランストランス１４３０と、異常検出装置１４４０と、を具備している。すなわち、本発明の実施の形態１４に係るインバータ回路１４１０は、第１のグループのバランストランス１４２０、第２のグループのバランストランス１４３０及び異常検出装置１４４０構成のみ、上記実施の形態１３に係るインバータ回路１３１０と異なるものである。
【０２１９】
基板間接続用コネクタ１３６０は、第１のグループのバランストランス１４２０と、第２のグループのバランストランス１４３０と、を電気的に接続する。また、基板間接続用コネクタ１３６０は、異常検出装置１４４０の第１の異常検出部１４４１と、異常検出装置１４４０の第２の異常検出部１４４２と、を電気的に接続する。
【０２２０】
第１のグループのバランストランス１４２０は、８つのバランストランス１１３、１１４、１１５、１１６、２１１、２１２、２１３及び２１４を有している。すなわち、本発明の実施の形態１４の第１のグループのバランストランス１４２０は、上記実施の形態１３の第２のグループのバランストランス１３８０の２つのバランストランス２１３及び２１４が追加されてなる。
【０２２１】
２つのバランストランス２１３及び２１４は、第１の電力供給線１３４０と、１対の冷陰極管１３０の各々との間にそれぞれ接続される１次巻線２１３ａ及び２１４ａを有している。また、バランストランス２１３及び２１４は、１次巻線２１３ａ及び２１４ａにより交流電圧を誘起される２次巻線２１３ｂ及び２１４ｂを有している。この２次巻線２１３ｂ及び２１４ｂは、隣り合う２次巻線２１３ｂ及び２１４ｂと直列に接続されている。
【０２２２】
第２のグループのバランストランス１４３０は、８つのバランストランス３１１、３１２、３１３、３１４、４１１、４１２、４１３及び４１４を有している。すなわち、本発明の実施の形態１４の第２のグループのバランストランス１４３０は、上記実施の形態１３の第２のグループのバランストランス１３８０の２つのバランストランス２１３及び２１４が削除され、４つのバランストランス４１１、４１２、４１３及び４１４が追加されてなる。
【０２２３】
４つのバランストランス４１１、４１２、４１３及び４１４は、第２の電力供給線１３５０と、２対の冷陰極管１３０の各々との間にそれぞれ接続される１次巻線４１１ａ、４１２ａ、４１３ａ及び４１４ａを有している。また、この４つのバランストランス４１１、４１２、４１３及び４１４は、１次巻線４１１ａ、４１２ａ、４１３ａ及び４１４ａにより交流電圧を誘起される４つの２次巻線４１１ｂ、４１２ｂ、４１３ｂ及び４１４ｂを有している。この２次巻線４１１ｂ、４１２ｂ、４１３ｂ及び４１４ｂは、隣り合う２次巻線４１１ｂ、４１２ｂ、４１３ｂ及び４１４ｂと直列に接続されている。
【０２２４】
そして、この第１及び第２のグループのバランストランス１４２０及び１４３０の１６個の２次巻線は、基板間接続用コネクタ１３６０により接続されて、２次巻線直列接続体のループを形成し、この２次巻線直列接続体のループの一部がグランドＧＮＤに接続されている。すなわち、第１のグループのバランストランス１４２０の８つの２次巻線１１３ｂ、１１４ｂ、１１５ｂ、１１６ｂ、２１１ｂ、２１２ｂ、２１３ｂ及び２１４ｂは、基板間接続用コネクタ１３６０により接続されて、第２のグループのバランストランス１４３０の８つの２次巻線３１１ｂ、３１２ｂ、３１３ｂ、３１４ｂ、４１１ｂ、４１２ｂ、４１３ｂ及び４１４ｂと２次巻線直列接続体のループを形成し、この２次巻線直列接続体のループの一部がグランドＧＮＤに接続されている。
【０２２５】
異常検出装置１４４０は、インバータ回路１４１０における高電圧部とグランドＧＮＤとの間の絶縁物に絶縁不良がある場合に生じるコロナ放電及びアーク放電等の高電圧異常放電を検出するものである。この異常検出装置１４４０は、第１及び第２のグループのバランストランス１４２０及び１４３０に発生する電圧から生成する電圧検出値に基づいて異常を検出する。
【０２２６】
異常検出装置１４４０は、第１の異常検出部１４４１と、第２の異常検出部１４４２と、異常検出器１２０と、報知装置１２１と、を有している。
【０２２７】
第１の異常検出部１４４１は、４対の３次巻線１１３ｃ、１１４ｃ、１１５ｃ、１１６ｃ、２１１ｃ、２１２ｃ、２１３ｃ及び２１４ｃと、４つのダイオード１１８、１１９、２１６及び２１７と、を有している。すなわち、本発明の実施の形態１４に係る第１の異常検出部１４４１は、上記実施の形態１３に係る第２の異常検出部１３９２の１対の３次巻線２１３ｃ及び２１４ｃと、ダイオード２１７が追加されてなる。
【０２２８】
第１の異常検出部１４４１の４対の３次巻線１１３ｃ、１１４ｃ、１１５ｃ、１１６ｃ、２１１ｃ、２１２ｃ、２１３ｃ及び２１４ｃは、当該４対の３次巻線のうち隣り合う１対の３次巻線に発生する交流電圧を互いに相殺するように当該１対の３次巻線が直列に接続され、当該１対の３次巻線の直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループに接続されている。なお、３次巻線の直列接続体の一端は、２次巻線直列接続体のループを介して接地（グランドＧＮＤに接続）されるのではなく、直接接地されるようにしてもよい。
【０２２９】
すなわち、隣り合う１対の３次巻線２１３ｃ及び２１４ｃは、当該１対の３次巻線２１３ｃ及び２１４ｃに発生する交流電圧を互いに相殺するように当該１対の３次巻線２１３ｃ及び２１４ｃが直列に接続されている。そして、当該１対の３次巻線２１３ｃ及び２１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２３０】
第２の異常検出部１４４２は、４対の３次巻線３１１ｃ、３１２ｃ、３１３ｃ、３１４ｃ、４１１ｃ、４１２ｃ、４１３ｃ及び４１４ｃと、４つのダイオード３１６、３１７、４１６及び４１７とを有している。すなわち、本発明の実施の形態１４に係る第２の異常検出部１４４２は、上記実施の形態１３に係る第２の異常検出部１３９２の１対の３次巻線２１３ｃ及び２１４ｃが削除され、２対の３次巻線４１１ｃ、４１２ｃ、４１３ｃ及び４１４ｃが追加されてなる。また、本発明の実施の形態１４に係る第２の異常検出部１４４２は、上記実施の形態１３に係る第２の異常検出部１３９２のダイオード２１７が削除され、２つのダイオード４１６及び４１７が追加されてなる。
【０２３１】
第２の異常検出部１４４２の４対の３次巻線３１１ｃ、３１２ｃ、３１３ｃ、３１４ｃ、４１１ｃ、４１２ｃ、４１３ｃ及び４１４ｃは、当該４対の３次巻線のうち隣り合う１対の３次巻線に発生する交流電圧を互いに相殺するように当該１対の３次巻線が直列に接続され、当該１対の３次巻線の直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループに接続されている。なお、３次巻線の直列接続体の一端は、２次巻線直列接続体のループを介して接地（グランドＧＮＤに接続）されるのではなく、直接接地されるようにしてもよい。
【０２３２】
すなわち、隣り合う１対の３次巻線４１１ｃ及び４１２ｃは、当該１対の３次巻線４１１ｃ及び４１２ｃに発生する交流電圧を互いに相殺するように当該１対の３次巻線４１１ｃ及び４１２ｃが直列に接続されている。そして、当該１対の３次巻線４１１ｃ及び４１２ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２３３】
また、隣り合う１対の３次巻線４１３ｃ及び４１４ｃは、当該１対の３次巻線４１３ｃ及び４１４ｃに発生する交流電圧を互いに相殺するように当該１対の３次巻線４１３ｃ及び４１４ｃが直列に接続されている。そして、当該１対の３次巻線４１３ｃ及び４１４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２３４】
このように、第１の異常検出部１４４１の３次巻線と第２の異常検出部１４４２の３次巻線とは基板間接続用コネクタ１３６０により接続され、第１及び第２の異常検出部における１対の３次巻線の直列接続体の一端は２次巻線直列接続体のループを介して接地されている。
【０２３５】
第１の異常検出部１４４１の４つのダイオード１１８、１１９、２１６及び２１７は、１対の３次巻線の直列接続体の一端に入力端子が接続されて、当該１対の３次巻線の直列接続体に発生する脈流電圧を検出して電圧検出値を生成する。
【０２３６】
すなわち、ダイオード２１７は、隣り合う１対の３次巻線２１３ｃ及び２１４ｃの直列接続体の一端に入力端子が接続されて、当該１対の３次巻線２１３ｃ及び２１４ｃの直列接続体に発生する脈流電圧を検出して電圧検出値を生成する。
【０２３７】
第２の異常検出部１４４２の４つのダイオード３１６、３１７、４１６及び４１７は、１対の３次巻線の直列接続体の一端に入力端子が接続されて、当該１対の３次巻線の直列接続体に発生する脈流電圧を検出して電圧検出値を生成する。
【０２３８】
すなわち、ダイオード４１６は、隣り合う１対の３次巻線４１１ｃ及び４１２ｃの直列接続体の一端に入力端子が接続されて、当該１対の３次巻線４１１ｃ及び４１２ｃの直列接続体に発生する脈流電圧を検出して電圧検出値を生成する。
【０２３９】
また、ダイオード４１７は、隣り合う１対の３次巻線４１３ｃ及び４１４ｃの直列接続体の一端に入力端子が接続されて、当該１対の３次巻線４１３ｃ及び４１４ｃの直列接続体に発生する脈流電圧を検出して電圧検出値を生成する。
【０２４０】
異常検出器１２０は、第１の異常検出部１４４１のダイオード１１８、１１９、２１６及び２１７の出力端子と、第２の異常検出部１４４２のダイオード３１６、３１７、４１６及び４１７の出力端子とに接続され、当該８つのダイオード１１８、１１９、２１６、２１７、３１６、３１７、４１６、４１７に発生する電圧から生成する電圧検出値と所定の閾値とを比較して異常であるか否かを判断して判断結果を生成する。
【０２４１】
（実施の形態１５）
次に、本発明の実施の形態１５について、図面を参照して詳細に説明する。図１６は、本発明の実施の形態１５に係るインバータ回路及びバックライト装置を示す回路図である。本発明の実施の形態１５においては、本発明の実施の形態１１、１３と同じ構成要素には同じ参照符号を付してその説明を省略する。
【０２４２】
図１６に示すように、本発明の実施の形態１５に係るバックライト装置１５００は、インバータ回路１５１０、６対の冷陰極管（放電管）１３０及び６つのコネクタ５１０、５１１、６１０、６１１、７１０及び７１１を具備している。
【０２４３】
インバータ回路１５１０は、２つのインバータ１１１及び１１２と、第１の基板１３２０と、第２の基板１３３０と、第１の基板１３２０に実装される第１の電力供給線１３４０と、第２の基板１３３０に実装される第２の電力供給線１３５０と、基板間接続用コネクタ１３６０と、第１の基板１３２０に実装される第１のグループのバランストランス１３７０と、第２の基板１３３０に実装される第２のグループのバランストランス１３８０と、異常検出装置１５２０と、を具備している。すなわち、本発明の実施の形態１５に係るインバータ回路１５１０は、異常検出装置１５２０の構成のみ、上記実施の形態１３に係るインバータ回路１３１０と異なる。
【０２４４】
異常検出装置１５２０は、インバータ回路１５１０における高電圧部とグランドＧＮＤとの間の絶縁物に絶縁不良がある場合に生じるコロナ放電及びアーク放電等の高電圧異常放電を検出するものである。この異常検出装置１５２０は、第１及び第２のグループのバランストランス１３７０及び１３８０に発生する電圧から生成する電圧検出値に基づいて異常を検出する。
【０２４５】
異常検出装置１５２０は、第１の異常検出部１５２１と、第２の異常検出部１５２２と、異常検出器１２０と、報知装置１２１と、を有している。この第１の異常検出部１５２１と、第２の異常検出部１５２２とは、基板間接続用コネクタ１３６０により電気的に接続されている。
【０２４６】
第１の異常検出部１５２１は、３対の３次巻線１５２３ｃ、１５２４ｃ、１５２５ｃ、１５２６ｃ、１５２７ｃ及び１５２８ｃと、３つのダイオード１５２９、１５３０及び１５３１とを有している。
【０２４７】
第１の異常検出部１５２１の３対の３次巻線１５２３ｃ、１５２４ｃ、１５２５ｃ、１５２６ｃ、１５２７ｃ及び１５２８ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０２４８】
すなわち、１対の３次巻線１５２３ｃ及び１５２８ｃは、異なるコネクタ５１０及び６１０に接続されている１次巻線１１３ａ及び２１２ａにより交流電圧を誘起される１対の３次巻線１５２３ｃ及び１５２８ｃに発生する交流電圧を互いに相殺するように、当該１対の３次巻線１５２３ｃ及び１５２８ｃが直列に接続されている。そして、当該１対の３次巻線１５２３ｃ及び１５２８ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２４９】
また、１対の３次巻線１５２４ｃ及び１５２５ｃは、異なるコネクタ５１０及び５１１に接続されている１次巻線１１４ａ及び１１５ａにより交流電圧を誘起される１対の３次巻線１５２４ｃ及び１５２５ｃに発生する交流電圧を互いに相殺するように当該１対の３次巻線１５２４ｃ及び１５２５ｃが直列に接続されている。そして、当該１対の３次巻線１５２４ｃ及び１５２５ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２５０】
また、１対の３次巻線１５２６ｃ及び１５２７ｃは、異なるコネクタ５１１及び６１０に接続されている１次巻線１１６ａ及び２１１ａにより交流電圧を誘起される１対の３次巻線１５２６ｃ及び１５２７ｃに発生する交流電圧を互いに相殺するように当該１対の３次巻線１５２６ｃ及び１５２７ｃが直列に接続されている。そして、当該１対の３次巻線１５２６ｃ及び１５２７ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２５１】
第２の異常検出部１５２２は、３対の３次巻線１５３２ｃ、１５３３ｃ、１５３４ｃ、１５３５ｃ、１５３６ｃ及び１５３７ｃと、３つのダイオード１５３８、１５３９及び１５４０とを有している。
【０２５２】
第２の異常検出部１５２２の３対の３次巻線１５３２ｃ、１５３３ｃ、１５３４ｃ、１５３５ｃ、１５３６ｃ及び１５３７ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０２５３】
すなわち、１対の３次巻線１５３２ｃ及び１５３７ｃは、異なるコネクタ６１１及び７１１に接続されている１次巻線２１３ａ及び３１４ａにより交流電圧を誘起される１対の３次巻線１５３２ｃ及び１５３７ｃに発生する交流電圧を互いに相殺するように、当該１対の３次巻線１５３２ｃ及び１５３７ｃが直列に接続されている。そして、当該１対の３次巻線１５３２ｃ及び１５３７ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２５４】
また、１対の３次巻線１５３３ｃ及び１５３４ｃは、異なるコネクタ６１１及び７１０に接続されている１次巻線２１４ａ及び３１１ａにより交流電圧を誘起される１対の３次巻線１５３３ｃ及び１５３４ｃに発生する交流電圧を互いに相殺するように当該１対の３次巻線１５３３ｃ及び１５３４ｃが直列に接続されている。そして、当該１対の３次巻線１５３３ｃ及び１５３４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２５５】
また、１対の３次巻線１５３５ｃ及び１５３６ｃは、異なるコネクタ７１０及び７１１に接続されている１次巻線３１２ａ及び３１３ａにより交流電圧を誘起される１対の３次巻線１５３５ｃ及び１５３６ｃに発生する交流電圧を互いに相殺するように当該１対の３次巻線１５３５ｃ及び１５３６ｃが直列に接続されている。そして、当該１対の３次巻線１５３５ｃ及び１５３６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ及び３１４ｂの直列接続体のループを介して接地されている。
【０２５６】
このように、第１の異常検出部１５２１の３次巻線と第２の異常検出部１５２２の３次巻線とは基板間接続用コネクタ１３６０により接続され、第１及び第２の異常検出部における１対の３次巻線の直列接続体の一端は２次巻線直列接続体のループを介して接地されている。
【０２５７】
第１の異常検出部１５２１の３つのダイオード１５２９、１５３０及び１５３１は、１対の３次巻線の直列接続体の一端に入力端子が接続されて、当該１対の３次巻線の直列接続体に発生する脈流電圧を検出して電圧検出値を生成する。
【０２５８】
すなわち、ダイオード１５２９は、異なるコネクタ５１０及び６１０に接続されている１次巻線１１３ａ及び２１２ａにより交流電圧を誘起される１対の３次巻線１５２３ｃ及び１５２８ｃの直列接続体の一端に入力端子が接続されて、当該１対の３次巻線１５２３ｃ及び１５２８ｃの直列接続体に発生する脈流電圧を検出して電圧検出値を生成する。
【０２５９】
また、ダイオード１５３０は、異なるコネクタ５１０及び５１１に接続されている１次巻線１１４ａ及び１１５ａにより交流電圧を誘起される１対の３次巻線１５２４ｃ及び１５２５ｃの直列接続体の一端に入力端子が接続されて、当該１対の３次巻線１５２４ｃ及び１５２５ｃの直列接続体に発生する脈流電圧を検出して電圧検出値を生成する。
【０２６０】
また、ダイオード１５３１は、異なるコネクタ５１１及び６１０に接続されている１次巻線１１６ａ及び２１１ａにより交流電圧を誘起される１対の３次巻線１５２６ｃ及び１５２７ｃの直列接続体の一端に入力端子が接続されて、当該１対の３次巻線１５２６ｃ及び１５２７ｃの直列接続体に発生する脈流電圧を検出して電圧検出値を生成する。
【０２６１】
第２の異常検出部１５２２の３つのダイオード１５３８、１５３９及び１５４０は、１対の３次巻線の直列接続体の一端に入力端子が接続されて、当該１対の３次巻線の直列接続体に発生する脈流電圧を検出して電圧検出値を生成する。
【０２６２】
すなわち、ダイオード１５３８は、異なるコネクタ６１１及び７１１に接続されている１次巻線２１３ａ及び３１４ａにより交流電圧を誘起される１対の３次巻線１５３２ｃ及び１５３７ｃの直列接続体の一端に入力端子が接続されて、当該１対の３次巻線１５３２ｃ及び１５３７ｃの直列接続体に発生する脈流電圧を検出して電圧検出値を生成する。
【０２６３】
また、ダイオード１５３９は、異なるコネクタ６１１及び７１０に接続されている１次巻線２１４ａ及び３１１ａにより交流電圧を誘起される１対の３次巻線１５３３ｃ及び１５３４ｃの直列接続体の一端に入力端子が接続されて、当該１対の３次巻線１５３３ｃ及び１５３４ｃの直列接続体に発生する脈流電圧を検出して電圧検出値を生成する。
【０２６４】
また、ダイオード１５４０は、異なるコネクタ７１０及び７１１に接続されている１次巻線３１２ａ及び３１３ａにより交流電圧を誘起される１対の３次巻線１５３５ｃ及び１５３６ｃの直列接続体の一端に入力端子が接続されて、当該１対の３次巻線１５３５ｃ及び１５３６ｃの直列接続体に発生する脈流電圧を検出して電圧検出値を生成する。
【０２６５】
異常検出器１２０は、第１の異常検出部１５２１のダイオード１５２９、１５３０及び１５３１の出力端子と、第２の異常検出部１５２２のダイオード１５３８、１５３９及び１５４０の出力端子とに接続され、当該６つのダイオード１５２９、１５３０、１５３１、１５３８、１５３９及び１５４０に発生する電圧から生成する電圧検出値と所定の閾値とを比較して異常であるか否かを判断して判断結果を生成する。
【０２６６】
このように、本発明の実施の形態１５によれば、基板間接続用コネクタが、第１及び第２の電力供給線、第１及び第２の基板、第１及び第２のグループのバランストランス並びに第１及び第２の異常検出部を電気的に接続する。そして、各異常検出部の複数対の３次巻線は、異なるコネクタに接続されている１次巻線により交流電圧を誘起される１対の３次巻線に発生する交流電圧を互いに相殺するように当該１対の３次巻線が基板間接続用コネクタを介して直列に接続され、この直列接続体の一端が複数のダイオードの入力端子に接続されている。これにより、本発明の実施の形態１５によれば、１枚の基板（プリント基板）でバックライト装置を構成できない場合であっても、基板間コネクタの端子数を増加させることなく、バックライト装置を大型化することが可能になる。
【０２６７】
また、本発明の実施の形態１５によれば、バックライト装置の大型化に伴い冷陰極管の数量が増加し、１対の冷陰極管を束ねるコネクタに開放故障があった場合でも、基板間接続用コネクタにより接続される基板毎に前記コネクタとインバータの出力端子との間に接続される１次巻線により交流電圧を誘起される３次巻線は、当該コネクタとは異なる他のコネクタに接続されている１次巻線により交流電圧を誘起される３次巻線と直列に接続され、この１対の３次巻線に発生する交流電圧を互いに相殺するため、バックライト装置の異常動作を検出することが可能になる。
【０２６８】
（実施の形態１６）
次に、本発明の実施の形態１６について、図面を参照して詳細に説明する。図１７は、本発明の実施の形態１６に係るインバータ回路及びバックライト装置を示す回路図である。本発明の実施の形態１６においては、本発明の実施の形態１２、１４と同じ構成要素には同じ参照符号を付してその説明を省略する。
【０２６９】
図１７に示すように、本発明の実施の形態１６に係るバックライト装置１６００は、インバータ回路１５１０、６対の冷陰極管（放電管）１３０及び８つのコネクタ５１０、５１１、６１０、６１１、７１０、７１１、８１０及び８１１を具備している。
【０２７０】
インバータ回路１６１０は、２つのインバータ１１１及び１１２と、第１の基板１３２０と、第２の基板１３３０と、第１の基板１３２０に実装される第１の電力供給線１３４０と、第２の基板１３３０に実装される第２の電力供給線１３５０と、基板間接続用コネクタ１３６０と、第１の基板１４２０に実装される第１のグループのバランストランス１４２０と、第２の基板１３３０に実装される第２のグループのバランストランス１４３０と、異常検出装置１６２０と、を具備している。すなわち、本発明の実施の形態１６に係るインバータ回路１６１０は、異常検出装置１６２０の構成のみ、上記実施の形態１４に係るインバータ回路１４１０と異なる。
【０２７１】
異常検出装置１６２０は、インバータ回路１６１０における高電圧部とグランドＧＮＤとの間の絶縁物に絶縁不良がある場合に生じるコロナ放電及びアーク放電等の高電圧異常放電を検出するものである。この異常検出装置１６２０は、第１及び第２のグループのバランストランス１４２０及び１４３０に発生する電圧から生成する電圧検出値に基づいて異常を検出する。
【０２７２】
異常検出装置１６２０は、第１の異常検出部１６２１と、第２の異常検出部１６２２と、異常検出器１２０と、報知装置１２１と、を有している。この第１の異常検出部１６２１と、第２の異常検出部１６２２とは、基板間接続用コネクタ１３６０により電気的に接続されている。
【０２７３】
第１の異常検出部１６２１は、４対の３次巻線１６２２ｃ、１６２３ｃ、１６２４ｃ、１６２５ｃ、１６２６ｃ、１６２７ｃ、１６２８ｃ及び１６２９ｃと、４つのダイオード１６３０、１６３１、１６３２及び１６３３とを有している。
【０２７４】
第１の異常検出部１６２１の４対の３次巻線１６２２ｃ、１６２３ｃ、１６２４ｃ、１６２５ｃ、１６２６ｃ、１６２７ｃ、１６２８ｃ及び１６２９ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０２７５】
すなわち、１対の３次巻線１６２２ｃ及び１６２９ｃは、異なるコネクタ５１０及び６１１に接続されている１次巻線１１３ａ及び２１４ａにより交流電圧を誘起される１対の３次巻線１６２２ｃ及び１６２９ｃに発生する交流電圧を互いに相殺するように、当該１対の３次巻線１６２２ｃ及び１６２９ｃが直列に接続されている。そして、当該１対の３次巻線１６２２ｃ及び１６２９ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２７６】
また、１対の３次巻線１６２３ｃ及び１６２４ｃは、異なるコネクタ５１０及び５１１に接続されている１次巻線１１４ａ及び１１５ａにより交流電圧を誘起される１対の３次巻線１６２３ｃ及び１６２４ｃに発生する交流電圧を互いに相殺するように当該１対の３次巻線１６２３ｃ及び１６２４ｃが直列に接続されている。そして、当該１対の３次巻線１６２３ｃ及び１６２４ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２７７】
また、１対の３次巻線１６２５ｃ及び１６２６ｃは、異なるコネクタ５１１及び６１０に接続されている１次巻線１１６ａ及び２１１ａにより交流電圧を誘起される１対の３次巻線１６２５ｃ及び１６２６ｃに発生する交流電圧を互いに相殺するように当該１対の３次巻線１６２５ｃ及び１６２６ｃが直列に接続されている。そして、当該１対の３次巻線１６２５ｃ及び１６２６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２７８】
また、１対の３次巻線１６２７ｃ及び１６２８ｃは、異なるコネクタ６１０及び６１１に接続されている１次巻線２１２ａ及び２１３ａにより交流電圧を誘起される１対の３次巻線１６２７ｃ及び１６２８ｃに発生する交流電圧を互いに相殺するように当該１対の３次巻線１６２７ｃ及び１６２８ｃが直列に接続されている。そして、当該１対の３次巻線１６２７ｃ及び１６２８ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２７９】
第２の異常検出部１６２２は、４対の３次巻線１６３４ｃ、１６３５ｃ、１６３６ｃ、１６３７ｃ、１６３８ｃ、１６３９ｃ、１６４０ｃ及び１６４１ｃと、４つのダイオード１６４２、１６４３、１６４４及び１６４５とを有している。
【０２８０】
第２の異常検出部１６２２の４対の３次巻線１６３４ｃ、１６３５ｃ、１６３６ｃ、１６３７ｃ、１６３８ｃ、１６３９ｃ、１６４０ｃ及び１６４１ｃは、異なるコネクタに接続されている１次巻線により交流電圧を誘起される１対の３次巻線に発生する交流電圧を互いに相殺するように当該１対の３次巻線が直列に接続され、当該１対の３次巻線の直列接続体の一端が２次巻線直列接続体のループに接続されている。なお、３次巻線の直列接続体の一端は、２次巻線直列接続体のループを介して接地（グランドＧＮＤに接続）されるのではなく、直接接地されるようにしてもよい。
【０２８１】
すなわち、１対の３次巻線１６３４ｃ及び１６４１ｃは、異なるコネクタ７１０及び８１１に接続されている１次巻線３１１ａ及び４１４ａにより交流電圧を誘起される１対の３次巻線１６３４ｃ及び１６４１ｃに発生する交流電圧を互いに相殺するように、当該１対の３次巻線１６３４ｃ及び１６４１ｃが直列に接続されている。そして、当該１対の３次巻線１６３４ｃ及び１６４１ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２８２】
また、１対の３次巻線１６３５ｃ及び１６３６ｃは、異なるコネクタ７１０及び７１１に接続されている１次巻線３１２ａ及び３１３ａにより交流電圧を誘起される１対の３次巻線１６３５ｃ及び１６３６ｃに発生する交流電圧を互いに相殺するように当該１対の３次巻線１６３５ｃ及び１６３６ｃが直列に接続されている。そして、当該１対の３次巻線１６３５ｃ及び１６３６ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２８３】
また、１対の３次巻線１６３７ｃ及び１６３８ｃは、異なるコネクタ７１１及び８１０に接続されている１次巻線３１４ａ及び４１１ａにより交流電圧を誘起される１対の３次巻線１６３７ｃ及び１６３８ｃに発生する交流電圧を互いに相殺するように当該１対の３次巻線１６３７ｃ及び１６３８ｃが直列に接続されている。そして、当該１対の３次巻線１６３７ｃ及び１６３８ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２８４】
また、１対の３次巻線１６３９ｃ及び１６４０ｃは、異なるコネクタ８１０及び８１１に接続されている１次巻線４１２ａ及び４１３ａにより交流電圧を誘起される１対の３次巻線１６３９ｃ及び１６４０ｃに発生する交流電圧を互いに相殺するように当該１対の３次巻線１６３９ｃ及び１６４０ｃが直列に接続されている。そして、当該１対の３次巻線１６３９ｃ及び１６４０ｃの直列接続体の一端が２次巻線１１３ｂ、１１４ｂ、１１５ｂ、１１６ｂ、２１１ｂ、２１２ｂ、２１３ｂ、２１４ｂ、３１１ｂ、３１２ｂ、３１３ｂ、３１４ｂ、４１１ｂ、４１２ｂ、４１３ｂ及び４１４ｂの直列接続体のループを介して接地されている。
【０２８５】
このように、第１の異常検出部１６２１の３次巻線と第２の異常検出部１６２２の３次巻線とは基板間接続用コネクタ１３６０により接続され、第１及び第２の異常検出部における１対の３次巻線の直列接続体の一端は２次巻線直列接続体のループを介して接地されている。
【０２８６】
第１の異常検出部１６２１の４つのダイオード１６３０、１６３１、１６３２及び１６３３は、１対の３次巻線の直列接続体の一端に入力端子が接続されて、当該１対の３次巻線の直列接続体に発生する脈流電圧を検出して電圧検出値を生成する。
【０２８７】
すなわち、ダイオード１６３０は、異なるコネクタ５１０及び６１１に接続されている１次巻線１１３ａ及び２１４ａにより交流電圧を誘起される１対の３次巻線１６２２ｃ及び１６２９ｃの直列接続体の一端に入力端子が接続されて、当該１対の３次巻線１６２２ｃ及び１６２９ｃの直列接続体に発生する脈流電圧を検出して電圧検出値を生成する。
【０２８８】
また、ダイオード１６３１は、異なるコネクタ５１０及び５１１に接続されている１次巻線１１４ａ及び１１５ａにより交流電圧を誘起される１対の３次巻線１６２３ｃ及び１６２４ｃの直列接続体の一端に入力端子が接続されて、当該１対の３次巻線１６２３ｃ及び１６２４ｃの直列接続体に発生する脈流電圧を検出して電圧検出値を生成する。
【０２８９】
また、ダイオード１６３２は、異なるコネクタ５１１及び６１０に接続されている１次巻線１１６ａ及び２１１ａにより交流電圧を誘起される１対の３次巻線１６２５ｃ及び１６２６ｃの直列接続体の一端に入力端子が接続されて、当該１対の３次巻線１６２５ｃ及び１６２６ｃの直列接続体に発生する脈流電圧を検出して電圧検出値を生成する。
【０２９０】
また、ダイオード１６３３は、異なるコネクタ６１０及び６１１に接続されている１次巻線２１２ａ及び２１３ａにより交流電圧を誘起される１対の３次巻線１６２７ｃ及び１６２８ｃの直列接続体の一端に入力端子が接続されて、当該１対の３次巻線１６２７ｃ及び１６２８ｃの直列接続体に発生する脈流電圧を検出して電圧検出値を生成する。
【０２９１】
第２の異常検出部１６２２の４つのダイオード１６４２、１６４３、１６４４及び１６４５は、１対の３次巻線の直列接続体の一端に入力端子が接続されて、当該１対の３次巻線の直列接続体に発生する脈流電圧を検出して電圧検出値を生成する。
【０２９２】
すなわち、ダイオード１６４２は、異なるコネクタ７１０及び８１１に接続されている１次巻線３１１ａ及び４１４ａにより交流電圧を誘起される１対の３次巻線１６３４ｃ及び１６４１ｃの直列接続体の一端に入力端子が接続されて、当該１対の３次巻線１６３４ｃ及び１６４１ｃの直列接続体に発生する脈流電圧を検出して電圧検出値を生成する。
【０２９３】
また、ダイオード１６４３は、異なるコネクタ７１０及び７１１に接続されている１次巻線３１２ａ及び３１３ａにより交流電圧を誘起される１対の３次巻線１６３５ｃ及び１６３６ｃの直列接続体の一端に入力端子が接続されて、当該１対の３次巻線１６３５ｃ及び１６３６ｃの直列接続体に発生する脈流電圧を検出して電圧検出値を生成する。
【０２９４】
また、ダイオード１６４４は、異なるコネクタ７１１及び８１０に接続されている１次巻線３１４ａ及び４１１ａにより交流電圧を誘起される１対の３次巻線１６３７ｃ及び１６３８ｃの直列接続体の一端に入力端子が接続されて、当該１対の３次巻線１６３７ｃ及び１６３８ｃの直列接続体に発生する脈流電圧を検出して電圧検出値を生成する。
【０２９５】
また、ダイオード１６４５は、異なるコネクタ８１０及び８１１に接続されている１次巻線４１２ａ及び４１３ａにより交流電圧を誘起される１対の３次巻線１６３９ｃ及び１６４０ｃの直列接続体の一端に入力端子が接続されて、当該１対の３次巻線１６３９ｃ及び１６４０ｃの直列接続体に発生する脈流電圧を検出して電圧検出値を生成する。
【０２９６】
異常検出器１２０は、第１の異常検出部１６２１のダイオード１６３０、１６３１、１６３２及び１６３３の出力端子と、第２の異常検出部１６２２のダイオード１６４２、１６４３、１６４４及び１６４５の出力端子とに接続され、当該８つのダイオード１６３０、１６３１、１６３２、１６３３、１６４２、１６４３、１６４４及び１６４５に発生する電圧から生成する電圧検出値と所定の閾値とを比較して異常であるか否かを判断して判断結果を生成する。
【０２９７】
なお、本発明の実施の形態１から１６は、４本から１６本までの偶数本の冷陰極管を有するもに適用したものであるが、本発明は１８本以上の偶数本の冷陰極管を有するものに適用可能である。
【０２９８】
請求項１から請求項１０に係る発明において、複数対の３次巻線のうち隣り合う１対の３次巻線に発生する交流電圧を互いに相殺するように１対の３次巻線が直列に接続され、この直列接続体の一端が複数のダイオードの入力端子に接続されている。そして、請求項１から請求項１０に係る発明において、異常検出器は、前記複数のダイオードに発生する電圧から生成する電圧検出値と所定の閾値とを比較して異常であるか否かを判断して判断結果を生成し、報知装置に与える。これにより、請求項１から請求項１０に係る発明によれば、バックライト装置内部において温度勾配に伴うインピーダンス変化により発生電圧が上昇した場合でも、異常動作を検出するための適切な閾値の設定を容易にし、かつ、異常動作の検出精度を向上させることができる。
【０２９９】
すなわち、請求項１から請求項１０に係る発明によれば、複数の冷陰極管において温度勾配に伴うインピーダンス変化がある場合、１対の３次巻線の各々では、インピーダンスの大きさが異なることにより互いに発生する電圧が異なるが、複数対の３次巻線のうち隣り合う１対の３次巻線に発生する交流電圧を互いに相殺するため、対になる３次巻線間での差分電圧に基づいて閾値の設定を行うことにより、従来と比較して、異常動作検出のための適切な低い閾値の設定が可能になる。これにより、請求項１から請求項１０に係る発明では、適切な閾値を設定することができるため、従来では設定閾値未満で検出されない開放故障によるアーク放電等の軽微な電圧上昇を検出することが可能になるから、バックライト装置の異常動作の検出精度を向上させることができる。
【０３００】
また、請求項１から請求項１０に係る発明によれば、隣接する１対の３次巻線の直列接続体に対して１つのダイオードを設けることにより、従来のように全ての３次巻線に必要だったダイオードの数を半減させることができるため、回路構成を簡易化し、かつ、コストを削減することができる。
【０３０１】
また、請求項６及び請求項１０に係る発明によれば、さらに複数対の冷陰極管と、バランストランスとを接続する場合、コネクタで２本の冷陰極管をまとめることにより、冷陰極管の設置及び交換等に係る作業効率を上げ、コストを低減することが可能となる。
【０３０２】
また、請求項１１から請求項１５に係る発明において、異なるコネクタに接続されている１次巻線により交流電圧を誘起される１対の３次巻線に発生する交流電圧を互いに相殺するように当該１対の３次巻線が直列に接続され、この直列接続体の一端が複数のダイオードの入力端子に接続されている。そして、請求項１１から請求項１５に係る発明において、異常検出器は、前記複数のダイオードに発生する電圧から生成する電圧検出値と所定の閾値とを比較して異常であるか否かを判断して判断結果を生成し、報知装置に与える。これにより、請求項１１から請求項１５に係る発明によれば、バックライト装置の内部において１対の冷陰極管双方に開放故障があった場合でも、異常動作を検出するための適切な閾値の設定を容易にし、かつ、異常動作の検出精度をさらに向上させることができる。
【０３０３】
すなわち、請求項１１から請求項１５に係る発明によれば、１対の冷陰極管を束ねるコネクタが開放故障を起こした場合であっても、当該コネクタとインバータの出力端子との間に接続される１次巻線により交流電圧を誘起される３次巻線は、当該コネクタとは異なる他のコネクタに接続されている１次巻線により交流電圧を誘起される３次巻線と直列に接続され、この１対の３次巻線に発生する交流電圧を互いに相殺するため、バックライト装置の異常動作を検出することが可能になる。
【０３０４】
また、請求項１１から請求項１５に係る発明によれば、１対の３次巻線の直列接続体に対して１つのダイオードを設けることにより、従来のように全ての３次巻線に必要だったダイオードの数を半減させることができるため、回路構成を簡易化し、かつ、コストを削減することができる。
【０３０５】
また、請求項１６から請求項１８に係る発明によれば、基板間接続用コネクタが、第１及び第２の電力供給線、第１及び第２の基板、第１及び第２のグループのバランストランス並びに第１及び第２の異常検出部を電気的に接続する。そして、各異常検出部の複数対の３次巻線のうち、隣り合う１対の３次巻線に発生する交流電圧を互いに相殺するように１対の３次巻線が基板間接続用コネクタを介して直列に接続され、この直列接続体の一端が複数のダイオードの入力端子に接続されている。これにより、請求項１６から請求項１８に係る発明では、１枚の基板（プリント基板）でバックライト装置を構成できない場合であっても、基板間コネクタの端子数を増加させることなく、バックライト装置を大型化することが可能になる。
【０３０６】
また、請求項１６から請求項１８に係る発明によれば、バックライト装置の大型化に伴い冷陰極管の数量が増加した場合であっても、各基板内の複数対の３次巻線が当該３次巻線のうち隣り合う１対の３次巻線に発生する交流電圧を互いに相殺するように直列接続されているため、異常動作の検出精度を向上させることができる。
【０３０７】
また、請求項１６から請求項１８に係る発明によれば、１対の３次巻線の直列接続体に対して１つのダイオードを設けることにより、従来のように全ての３次巻線に必要だったダイオードの数を半減させることができるため、回路構成を簡易化し、かつ、コストを削減することができる。
【０３０８】
また、請求項１９から請求項２１に係る発明において、基板間接続用コネクタが、第１及び第２の電力供給線、第１及び第２の基板、第１及び第２のグループのバランストランス並びに第１及び第２の異常検出部を電気的に接続する。そして、請求項１９から請求項２１に係る発明において、前記第１及び第２の異常検出部の複数対の３次巻線は、異なるコネクタに接続されている１次巻線により交流電圧を誘起される１対の３次巻線に発生する交流電圧を互いに相殺するように当該１対の３次巻線が基板間接続用コネクタを介して直列に接続され、この直列接続体の一端が複数のダイオードの入力端子に接続されている。これにより、請求項１９から請求項２１に係る発明によれば、１枚の基板（プリント基板）でバックライト装置を構成できない場合であっても、基板間コネクタの端子数を増加させることなく、バックライト装置を大型化することが可能になる。
【０３０９】
また、請求項１９から請求項２１に係る発明によれば、バックライト装置の大型化に伴い冷陰極管の数量が増加し、１対の冷陰極管を束ねるコネクタに開放故障があった場合でも、基板間接続用コネクタにより接続される基板毎に前記コネクタとインバータの出力端子との間に接続される１次巻線により交流電圧を誘起される３次巻線は、当該コネクタとは異なる他のコネクタに接続されている１次巻線により交流電圧を誘起される３次巻線と直列に接続され、この１対の３次巻線に発生する交流電圧を互いに相殺するため、バックライト装置の異常動作を検出することが可能になる。
【０３１０】
また、請求項１９から請求項２１に係る発明によれば、１対の３次巻線の直列接続体に対して１つのダイオードを設けることにより、従来のように全ての３次巻線に必要だったダイオードの数を半減させることができるため、回路構成を簡易化し、かつ、コストを削減することができる。
【図面の簡単な説明】
【０３１１】
【図１】本発明の実施の形態１に係るインバータ回路及びバックライト装置を示す回路図である。
【図２】本発明の実施の形態１に係るインバータ回路及びバックライト装置の異常検出装置を示すブロック図である。
【図３】本発明の実施の形態２に係るインバータ回路及びバックライト装置を示す回路図である。
【図４】本発明の実施の形態３に係るインバータ回路及びバックライト装置を示す回路図である。
【図５】本発明の実施の形態４に係るインバータ回路及びバックライト装置を示す回路図である。
【図６】本発明の実施の形態５に係るインバータ回路及びバックライト装置を示す回路図である。
【図７】本発明の実施の形態６に係るインバータ回路及びバックライト装置を示す回路図である。
【図８】本発明の実施の形態７に係るインバータ回路及びバックライト装置を示す回路図である。
【図９】本発明の実施の形態８に係るインバータ回路及びバックライト装置を示す回路図である。
【図１０】本発明の実施の形態９に係るインバータ回路及びバックライト装置を示す回路図である。
【図１１】本発明の実施の形態１０に係るインバータ回路及びバックライト装置を示す回路図である。
【図１２】本発明の実施の形態１１に係るインバータ回路及びバックライト装置を示す回路図である。
【図１３】本発明の実施の形態１２に係るインバータ回路及びバックライト装置を示す回路図である。
【図１４】本発明の実施の形態１３に係るインバータ回路及びバックライト装置を示す回路図である。
【図１５】本発明の実施の形態１４に係るインバータ回路及びバックライト装置を示す回路図である。
【図１６】本発明の実施の形態１５に係るインバータ回路及びバックライト装置を示す回路図である。
【図１７】本発明の実施の形態１６に係るインバータ回路及びバックライト装置を示す回路図である。
【図１８】従来のインバータ回路を示す回路図である。
【図１９】バックライト装置内部での温度変化に伴うインピーダンス変化を説明するための図である。
【図２０】バックライト装置内部での温度変化に伴うインピーダンス変化を説明するための図である。
【符号の説明】
【０３１２】
１００、２００、３００、４００、５００、６００、７００、８００、９００、１０００、１１００、１２００、１３００、１４００、１５００、１６００  バックライト装置
１１０、２１０、３１０、４１０、９１０、１０１０、１１１０、１２１０、１３１０、１４１０、１５１０、１６１０  インバータ回路
１１１、１１２  インバータ
１１３、１１４、１１５、１１６、２１１、２１２、２１３、２１４、３１１、３１２、３１３、３１４、４１１、４１２、４１３、４１４  バランストランス
１３０  冷陰極管（放電管）
１１３ｃ、１１４ｃ、１１５ｃ、１１６ｃ、２１１ｃ、２１２ｃ、２１３ｃ、２１４ｃ、３１１ｃ、３１２ｃ、３１３ｃ、３１４ｃ、４１１ｃ、４１２ｃ、４１３ｃ、４１４ｃ、９１２ｃ、９１３ｃ、９１４ｃ、９１５ｃ、１０１２ｃ、１０１３ｃ、１０１４ｃ、１０１５ｃ、１０１６ｃ、１０１７ｃ、１０１８ｃ、１０１９ｃ、１１１２ｃ、１１１３ｃ、１１１４ｃ、１１１５ｃ、１１１６ｃ、１１１７ｃ、１１１８ｃ、１１１９ｃ、１１２０ｃ、１１２１ｃ、１１２３ｃ、１２１２ｃ、１２１３ｃ、１２１４ｃ、１２１５ｃ、１２１６ｃ、１２１７ｃ、１２１８ｃ、１２１９ｃ、１２２０ｃ、１２２１ｃ、１２２２ｃ、１２２３ｃ、１２２４ｃ、１２２５ｃ、１２２６ｃ、１２２７ｃ、１５２３ｃ、１５２４ｃ、１５２５ｃ、１５２６ｃ、１５２７ｃ、１５２８ｃ、１５３２ｃ、１５３３ｃ、１５３４ｃ、１５３５ｃ、１５３６ｃ、１５３７ｃ  ３次巻線
１１８、１１９、２１６、２１７、３１６、３１７、４１６、４１７、９１６、９１７、１０２０、１０２１、１０２２、１０２３、１１２４、１１２５、１１２６、１１２７、１１２８、１１２９、１２２８、１２２９、１２３０、１２３１、１２３２、１２３３、１２３４、１２３５、１５２９、１５３０、１５３１、１５３８、１５３９、１５４０、１６３０、１６３１、１６３２、１６３３、１６４２、１６４３、１６４４、１６４５  ダイオード
１１７、２１５、３１５、４１５、９１１、１０１１、１１１１、１２１１、１３９０、１４４０、１５２０、１６２０  異常検出装置
１２０  異常検出器
１２１  報知装置
５１０、５１１、６１０、６１１、７１０、７１１、８１０、８１１  コネクタ
１３２０、１３３０  基板
１３６０  基板間接続コネクタ
１３７０、１４２０  第１のグループのバランストランス
１３８０、１４３０  第２のグループのバランストランス
１３９１、１４４１、１５２１、１６２１  第１の異常検出部
１３９２、１４４２、１５２２、１６２２  第２の異常検出部
【図１】
2008084808.tif 000003
【図２】
2008084808.tif 000004
【図３】
2008084808.tif 000005
【図４】
2008084808.tif 000006
【図５】
2008084808.tif 000007
【図６】
2008084808.tif 000008
【図７】
2008084808.tif 000009
【図８】
2008084808.tif 000010
【図９】
2008084808.tif 000011
【図１０】
2008084808.tif 000012
【図１１】
2008084808.tif 000013
【図１２】
2008084808.tif 000014
【図１３】
2008084808.tif 000015
【図１４】
2008084808.tif 000016
【図１５】
2008084808.tif 000017
【図１６】
2008084808.tif 000018
【図１７】
2008084808.tif 000019
【図１８】
2008084808.tif 000020
【図２０】
2008084808.tif 000021
【図１９】
2008084808.tif 000022